(57)【要約】  ライターの加熱素子にエネルギーを付与するために電気ソケット内に受けられるタバコライターは、ソケットスリーブと接触する導電性シェルと、シェル内にあり、バネによって付勢された移動可能ノブと、先端側の電気加熱素子であって、加熱素子の周縁部を囲んで配設された第１電気接触素子と接触する第１電気端子を有し、第１電気端子がソケットの第１電気接点と接触し、加熱素子が、中央に配設された固定体と接触する中央に配置された第２端子を有する、電気加熱素子と、シェルと電気的に接触しているノブと共に移動する移動可能電気接点であって、移動可能電気接点が、クリップと係合せず、加熱素子にエネルギーが付与されない第１位置と、移動可能電気接点がクリップと係合し、加熱素子にエネルギーを付与する第２位置と、のを有する、移動可能電気接点と、を備える。
2014521923.tif 000002
【特許請求の範囲】
【請求項１】
タバコライターであって、当該タバコライターの加熱素子にエネルギーを付与するための電気ソケットに受けられるように構成された、タバコライターにおいて、
前記ソケットのスリーブと電気的かつ機械的に接触するように構成された導電性本体シェルと、
圧縮バネの付勢に抗して前記本体シェル内で入れ子式に移動するために、前記本体シェル内に受けられるユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成され、当該電気加熱素子が、前記本体シェルとほぼ同心状に配置された第２電気端子を有し、前記第２電気端子が、中央に配設された固定体と電気的に接触する、電気加熱素子と、
前記本体シェルから電気的に絶縁した前記固定体によって所定位置で保持され、前記加熱素子の前記第２端子と電気的に連絡する第１バイメタル素子であって、少なくとも２つの基端側に延在する係合クリップを有する、第１バイメタル素子と、
ユーザ作動可能な前記ノブと共に移動するように構成された移動可能電気接点であって、前記本体シェルと電気的に連絡し、第１及び第２位置を有し、このため、前記第１位置において、前記ノブが基端側に延在すると、当該移動可能電気接点が前記バイメタル係合クリップと電気的に係合せず、そのため、前記加熱素子にはエネルギーが付与されず、前記第２位置において、前記ノブを先端側に移動させると、前記移動可能電気接点が前記バイメタル係合クリップと係合しかつ前記係合クリップにより所定位置に保持され、前記加熱素子には所定の第１温度に達するまで電力によるエネルギーが付与され、前記第１温度において、前記バイメタル係合クリップが曲がって前記移動可能電気接点を前記バイメタル係合クリップから解放し、前記加熱素子へのエネルギー付与を停止し、前記バネの付勢に起因して前記ノブを基端側に移動させる、移動可能電気接点と、
を備えることを特徴とするタバコライター。
【請求項２】
前記第１電気接触素子が、前記電気加熱素子を囲むシリンダ状接触素子を備えることを特徴とする請求項１に記載のタバコライター。
【請求項３】
前記シリンダ状接触素子が、前記ソケットの前記第１電気接点を当該シリンダ状接触素子の内周面に電気的に係合させるように構成されており、そのため、前記内周面と前記ソケットの前記第１電気接点との間でスライド式接触があることを特徴とする請求項２に記載のタバコライター。
【請求項４】
前記加熱素子が、螺旋形状をなしており、当該螺旋が、当該螺旋の外側に配設された前記第１電気端子を有し、
前記第１電気端子が、前記シリンダ状接触素子のスロットを通して受けられ、これにより、前記シリンダ状接触素子と電気的に係合し、
前記第２電気端子が、前記螺旋の内側に配設されており、中央に配設された前記固定体と電気的に係合することを特徴とする請求項３に記載のタバコライター。
【請求項５】
前記シリンダ状接触素子の外側に配置された同心状キャップをさらに備え、
前記キャップが、前記シリンダ状接触素子の少なくとも一部を囲み、当該キャップと前記シリンダ状接触素子の外周との間に前記加熱素子の前記第１電気端子を固定することを特徴とする請求項４に記載のタバコライター。
【請求項６】
前記シリンダ状接触素子の外周にある円状溝部をさらに備え、これにより、前記加熱素子の前記第１電気端子が、前記キャップと前記シリンダ状接触素子との間で前記円状溝部内に受けられ、前記加熱素子の前記第１電気端子の前記シリンダ状接触素子への電気的接続を提供することを特徴とする請求項５に記載のタバコライター。
【請求項７】
前記キャップが、当該キャップの内周面に、前記シリンダ状接触素子の前記円状溝部と位置合わせした円状溝部を有し、これにより、前記加熱素子の前記第１電気端子を前記円状溝部間に固定することを特徴とする請求項６に記載のタバコライター。
【請求項８】
接地保持体が、前記第１バイメタル素子回りに同心状に配設されており、絶縁体によって前記第１バイメタル素子から電気的に絶縁され、
前記第１バイメタル素子が、中心に配設された前記固定体によって、前記絶縁体に配設されかつ前記絶縁体へ保持されていることを特徴とする請求項７に記載のタバコライター。
【請求項９】
第２バイメタル素子をさらに備え、
前記第２バイメタル素子が、前記加熱素子の温度が前記第１温度よりも高い所定の第２温度に達すると、前記本体シェルまたは前記接地保持体と電気的に接触するために前記シリンダ状接触素子と電気的に連絡し、安全上の問題を回避することを特徴とする請求項８に記載のタバコライター。
【請求項１０】
前記第２バイメタル素子が、前記本体シェルとほぼ位置合わせして先端側に延在しており、所定の前記第２温度に達すると、径方向に移動して前記本体シェルと接触することを特徴とする請求項９に記載のタバコライター。
【請求項１１】
前記第２バイメタル素子が、基端側に延在しており、所定の前記第２温度に達すると、径方向外側に移動して前記接地保持体と接触することを特徴とする請求項９に記載のタバコライター。
【請求項１２】
第２バイメタル素子をさらに備え、
前記第２バイメタル素子が、前記加熱素子の温度が前記第１温度よりも高い所定の第２温度に達すると、前記本体シェルまたは前記本体シェルと電気的に連絡する部分と電気的に接触するために前記第１電気接触素子と電気的に連絡し、安全上の問題を回避することを特徴とする請求項１に記載のタバコライター。
【請求項１３】
前記第２バイメタル素子が、前記第１電気接触素子のキャップに隣接して配置されかつ前記キャップと電気的に面接触するバイメタル面状構造体を備え、
前記バイメタル面状構造体が、少なくとも１つの作動ビームを有し、
前記第２バイメタル素子が、前記バイメタル面状構造体の反対側に隣接して配設された電気絶縁構造体をさらに備え、
前記電気絶縁構造体が、前記作動ビームと位置合わせした切欠部を有し、
前記第２バイメタル素子が、前記電気絶縁構造体に隣接して配設され、前記バイメタル面状構造体から電気的に絶縁された接地保持素子をさらに備え、
これにより、前記加熱素子の温度が所定の前記第２温度に達すると、前記作動ビームが、前記バイメタル面状構造体の平面に対して横方向に反り、前記接地保持体に接触し、給電を短絡させることを特徴とする請求項１２に記載のタバコライター。
【請求項１４】
前記バイメタル面状構造体が、前記作動ビームを画成する径方向切欠部を有するバイメタルディスクを備え、
前記電気絶縁構造体が、絶縁ディスクを備えることを特徴とする請求項１３に記載のタバコライター。
【請求項１５】
前記バイメタルディスクを前記キャップに対して１つのみの同心方位に方向付けることを可能とするために、前記バイメタルディスクに非対称に位置する位置決め穴部をさらに備えることを特徴とする請求項１４に記載のタバコライター。
【請求項１６】
非対称に位置する前記位置決め穴部が、前記キャップにおいて、前記バイメタルディスク、前記絶縁ディスク及び前記接地保持体と位置合わせして配設されており、
１つのみの同心方位に前記素子をロックするために、前記位置決め穴部を貫通するロックピンをさらに備えることを特徴とする請求項１５に記載のタバコライター。
【請求項１７】
前記第１バイメタル素子のための電気的な及び熱的な絶縁体をさらに備え、
前記ロックピンが、電気的な及び熱的な前記絶縁体から延在することを特徴とする請求項１６に記載のタバコライター。
【請求項１８】
前記バイメタルディスクが、低膨張面及び高膨張面を有し、
前記低膨張面が、前記接地保持体を向き、そのため、前記加熱素子が所定の前記第２温度に達する場合に、前記作動ビームが前記絶縁ディスクにある前記切欠部を通して反り、前記接地保持体と接触することを特徴とする請求項１４に記載のタバコライター。
【請求項１９】
前記バイメタルディスクの反りが、前記絶縁ディスクの厚さによって決まることを特徴とする請求項１８に記載のタバコライター。
【請求項２０】
前記第２バイメタル素子が、基端側に延在しており、前記第２温度に達すると、径方向外側に曲がって前記本体シェルまたは一部に接触することを特徴とする請求項１２に記載のタバコライター。
【請求項２１】
中央に配設された前記固定体が、リベットであり、
前記加熱素子の前記第２電気端子が、前記リベットの先端側の頭部にあるスロット内にスウェージ加工されていることを特徴とする請求項７に記載のタバコライター。
【請求項２２】
前記移動可能電気接点が、ユーザ作動可能な前記ノブを先端側に押圧することによって、中央に配設された前記固定体の基端側を向く頭部と電気的に係合して保持されており、前記第１バイメタル素子が前記移動可能電気接点を解放したときに、前記加熱素子への電流フローを維持することを特徴とする請求項１に記載のタバコライター。
【請求項２３】
前記移動可能電気接点が、固定素子によってユーザ作動可能な前記ノブに保持されており、
前記固定素子が中央に配設された前記固定体の基端側を向く前記頭部と電気的に係合するために、中央に配設された前記固定体のうち先端側を向く頭部を有し、前記加熱素子へ電流が流れることを可能とすることを特徴とする請求項２２に記載のタバコライター。
【請求項２４】
前記固定素子が、前記移動可能電気接点を金属シャフトへ保持させ、
前記金属シャフトが、ユーザ作動可能な前記ノブによる移動のために結合されていることを特徴とする請求項２３に記載のタバコライター。
【請求項２５】
前記バネが、前記シャフトを囲むことを特徴とする請求項２４に記載のタバコライター。
【請求項２６】
前記固定素子が、前記シャフトに螺合されたネジを備えることを特徴とする請求項２５に記載のタバコライター。
【請求項２７】
金属本体が、前記本体シェル内でスライド可能に移動するために前記金属シャフトと電気的に係合しており、前記ソケットスリーブと電気的にスライド式に接触して受けられている前記本体シェルと前記金属シャフトとの間に、ひいては前記移動可能電気接点への電気的連絡を提供することを特徴とする請求項２４に記載のタバコライター。
【請求項２８】
当該タバコライターが、自動車の電気ソケットに受けられることを特徴とする請求項１に記載のタバコライター。
【請求項２９】
ユーザ作動可能な前記ノブが、ユーザ作動可能な当該ノブを囲む外側ノブ部分内に入れ子式に受けられることを特徴とする請求項１に記載のタバコライター。
【請求項３０】
前記シリンダ状接触素子が、移動不能な灰ガードとして機能することを特徴とする請求項２に記載のタバコライター。
【請求項３１】
前記加熱素子の前記第１電気端子が、前記加熱素子を囲むコイル保持体へ電気的にかつ機械的に固定されていることを特徴とする請求項２に記載のタバコライター。
【請求項３２】
前記コイル保持体が、当該コイル保持体の全周にわたって折り返されていることを特徴とする請求項３１に記載のタバコライター。
【請求項３３】
前記コイル保持体が、折り返されており、当該コイル保持体の周辺領域に前記第１電気端子を固定し、前記周辺領域が、前記コイル保持体の周辺の一部のみを含むことを特徴とする請求項３１に記載のタバコライター。
【請求項３４】
前記コイル保持体が、前記第１電気接触素子から離れた部品であり、前記第１電気接触素子と電気的に連絡することを特徴とする請求項３１に記載のタバコライター。
【請求項３５】
前記第１電気接触素子が、前記コイル保持体を囲む領域において内径が増大することを特徴とする請求項３４に記載のタバコライター。
【請求項３６】
前記コイル保持体及び前記第１電気接触素子が、一体化されていることを特徴とする請求項３１に記載のタバコライター。
【請求項３７】
前記コイル保持体が、前記第１電気接触素子に形成された複数のスナップタブ及び曲げタブによって、前記第１電気接触素子内に保持されていることを特徴とする請求項３１に記載のタバコライター。
【請求項３８】
一体化した前記コイル保持体を覆って受けられ、前記コイル保持体と電気的にかつ機械的に係合するキャップをさらに備えることを特徴とする請求項３６に記載のタバコライター。
【請求項３９】
ビードが、前記キャップに入り込んでおり、前記キャップを前記コイル保持体に固定することを特徴とする請求項３８に記載のタバコライター。
【請求項４０】
前記電気ソケットの前記第１電気接点が、前記第１電気接点と電気的に係合するために、バネ負荷式接点を備えることを特徴とする請求項１に記載のタバコライター。
【請求項４１】
前記電気ソケットが、所定位置にある前記バネ負荷式接点の近傍に配設された保持槍部を有しており、そのため、前記保持槍部が、雄型のアクセサリ電気プラグを前記ソケット内に挿入したときに歪まないことを特徴とする請求項４０に記載のタバコライター。
【請求項４２】
前記保持槍部が、前記本体シェルの先端部にある細長い直径領域にと係合するための球状素子を有することを特徴とする請求項４１に記載のタバコライター。
【請求項４３】
タバコライターのための加熱組立体であって、
シリンダ状本体と、
前記シリンダ状本体と電気的に接触する第１電気端子を有する電気加熱素子であって、前記シリンダ状本体が、当該電気加熱素子の周囲に配設され、電気ソケットの第１電気接点と電気的に接触するように構成される、電気加熱素子と、
を備え、
前記電気加熱素子が、前記シリンダ状本体に関してほぼ中央に位置する第２電気端子を有し、前記第２電気端子が、中央に配設された固定体と電気的に接触し、
前記加熱素子が、螺旋形状をなしており、当該螺旋が、当該螺旋の外側に配設された前記第１電気端子を有し、
前記第１電気端子が、前記シリンダ状本体にあるスロットを通して受けられており、これにより、前記シリンダ状本体と電気的に係合し、
前記第２電気端子が、前記螺旋の内側に配設され、中央に配設された前記固定体と電気的に係合しており、
当該加熱組立体が、
前記シリンダ状本体の外側に配設された同心状キャップをさらに備え、
前記キャップが、前記シリンダ状本体の少なくとも一部を囲み、当該キャップと前記シリンダ状本体の外周との間に前記加熱素子の前記第１電気端子を固定することを特徴とする加熱組立体。
【請求項４４】
前記シリンダ状本体の外周にある円状溝部をさらに備え、
前記加熱素子の前記第１電気端子が、前記円状溝部において前記キャップと前記シリンダ状本体との間で受けられており、前記加熱素子の前記第１電気端子を前記シリンダ状本体へ電気的に接続させることを特徴とする請求項４３に記載の加熱組立体。
【請求項４５】
前記キャップが、当該キャップの内周にあり、前記シリンダ状本体にある前記円状溝部と位置合わせした円状溝部を有し、前記加熱素子の前記第１電気端子を前記円状溝部間に固定することを特徴とする請求項４４に記載の加熱組立体。
【請求項４６】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して移動するために、前記本体シェルに取り付けられたユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成されており、当該電気加熱素子が、所定の第１温度に達してタバコまたはシガレットの点火を可能とするように制御されている、電気加熱素子と、
を備え、
前記電気加熱素子が、前記本体シェルに関してほぼ中央に位置する第２電気端子を有し、前記第２電気端子が、中央に配設された固定体と電気的に接触し、
当該タバコライターが、熱保護バイメタル素子をさらに備え、
前記熱保護バイメタル素子が、前記加熱素子の温度が所定の前記第１温度よりも高い所定の第２温度に達すると、前記本体シェルまたは前記本体シェルと電気的に連絡する部分と電気的に接触するために前記第１電気端子と電気的に連絡し、安全上の問題を回避することを特徴とするタバコライター。
【請求項４７】
前記熱保護バイメタル素子が、前記第１電気接触素子のキャップに隣接して配置されかつ前記キャップと電気的に面接触するバイメタル面状構造体を備え、
前記バイメタル面状構造体が、少なくとも１つの作動ビームを備え、
前記熱保護バイメタル素子が、前記バイメタル面状構造体の反対側に隣接して配設された電気絶縁構造体をさらに備え、
前記電気絶縁構造体が、前記作動ビームと位置合わせした切欠部を有し、
前記熱保護バイメタル素子が、前記電気絶縁構造体に隣接して配設され、前記バイメタル面状構造体から電気的に絶縁された接地保持素子をさらに備え、
これにより、前記加熱素子の温度が所定の前記第２温度に達すると、前記作動ビームが、前記バイメタル面状構造体の平面に対して横方向に反り、前記接地保持体に接触し、給電を短絡させることを特徴とする請求項４６に記載のタバコライター。
【請求項４８】
前記バイメタル面状構造体が、前記作動ビームを画成する径方向切欠部を有するバイメタルディスクを備え、
前記電気絶縁構造体が、絶縁ディスクを備えることを特徴とする請求項４７に記載のタバコライター。
【請求項４９】
前記バイメタルディスクを前記キャップに対して１つのみの同心方位に方向付けることを可能とするために、前記バイメタルディスクに非対称に位置する位置決め穴部をさらに備えることを特徴とする請求項４８に記載のタバコライター。
【請求項５０】
非対称に位置する前記位置決め穴部が、前記キャップにおいて、前記バイメタルディスク、前記絶縁ディスク及び前記接地保持体と位置合わせして配設されており、ロックピンを備え、
前記ロックピンが、１つのみの同心方位に前記素子をロックするために、前記位置決め穴部を貫通することを特徴とする請求項４９に記載のタバコライター。
【請求項５１】
前記加熱素子の温度を制御するための制御バイメタル素子をさらに備え、
前記制御バイメタル素子が、前記本体シェルから電気的に絶縁された前記固定体によって所定位置で保持され、前記加熱素子の前記第２端子と電気的に連絡し、
前記制御バイメタル素子が、少なくとも２つの基端側に延在する係合クリップを有し、
前記制御バイメタル素子のための電気的熱的絶縁体をさらに備え、
前記ロックピンが、前記電気的熱的絶縁体から延在することを特徴とする請求項５０に記載のタバコライター。
【請求項５２】
前記バイメタルディスクが、低膨張面及び高膨張面を有し、
前記低膨張面が、前記接地保持素子を向き、そのため、前記加熱素子が所定の前記第２温度に達する場合に、前記作動ビームが前記絶縁ディスクにある前記切欠部を通して反り、前記接地保持素子と接触することを特徴とする請求項４８に記載のタバコライター。
【請求項５３】
前記バイメタルディスクの反りが、前記絶縁ディスクの厚さによって決まることを特徴とする請求項５２に記載のタバコライター。
【請求項５４】
前記熱保護バイメタル素子が、前記本体シェルとほぼ位置合わせして先端側に延在しており、所定の前記第２温度に達すると、径方向に移動して前記本体シェルと接触することを特徴とする請求項４６に記載のタバコライター。
【請求項５５】
前記熱保護バイメタル素子が、基端側に延在しており、所定の前記第２温度に達すると、径方向外側に移動して前記接地保持体と接触することを特徴とする請求項４６に記載のタバコライター。
【請求項５６】
前記熱保護バイメタル素子が、基端側に延在しており、前記第２温度に達すると、径方向外側に曲がって前記本体シェルまたは一部に接触することを特徴とする請求項４４に記載のタバコライター。
【請求項５７】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して前記本体シェル内で入れ子式に移動するために、前記本体シェル内に受けられるユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成され、当該電気加熱素子が、前記本体シェルとほぼ同心状に配置された第２電気端子を有し、前記第２電気端子が、中央に配設された固定体と電気的に接触する、電気加熱素子と、
前記本体シェルから電気的に絶縁した前記固定体によって所定位置で保持され、前記加熱素子の前記第２端子と電気的に連絡する第１バイメタル素子であって、基端側に延在する係合素子を有する、第１バイメタル素子と、
ユーザ作動可能な前記ノブと共に移動するように構成された移動可能電気接点であって、前記本体シェルと電気的に連絡し、第１及び第２位置を有し、このため、前記第１位置において、前記ノブが基端側に延在すると、当該移動可能電気接点が前記バイメタル係合素子と電気的に係合せず、そのため、前記加熱素子にはエネルギーが付与されず、前記第２位置において、前記ノブを先端側に移動させると、当該移動可能電気接点が前記バイメタル係合素子と係合しかつ前記バイメタル係合素子により所定位置に保持され、前記加熱素子には所定の第１温度に達するまで電力によるエネルギーが付与され、前記第１温度において、前記バイメタル係合素子が、曲がって前記移動可能電気接点を前記バイメタル係合素子から解放し、前記加熱素子へのエネルギー付与を停止し、前記バネの付勢に起因して前記ノブを基端側に移動させる、移動可能電気接点と、
を備え、
ユーザ作動可能な前記ノブを先端側に押圧することによって、前記移動可能電気接点が、中央に配設された前記固定体の基端側を向く頭部と電気的に係合して保持されており、前記第１バイメタル素子が前記移動可能電気接点を解放した場合であっても、前記加熱素子への電流フローを維持することを特徴とするタバコライター。
【請求項５８】
前記移動可能電気接点が、固定素子によってユーザ作動可能な前記ノブへ保持され、
前記固定素子が、中央に配設された前記固定体の基端側を向く前記頭部と電気的に係合するために、先端側に配設された頭部を有し、電流が前記加熱素子へ流れることを可能とすることを特徴とする請求項５７に記載のタバコライター。
【請求項５９】
前記固定素子が、前記移動可能電気接点を金属シャフトへ保持させ、
前記金属シャフトが、ユーザ作動可能な前記ノブによる移動のために結合されていることを特徴とする請求項５８に記載のタバコライター。
【請求項６０】
前記バネが、前記シャフトを囲むことを特徴とする請求項５９に記載のタバコライター。
【請求項６１】
前記固定素子が、前記シャフトに螺合されたネジを備えることを特徴とする請求項６０に記載のタバコライター。
【請求項６２】
金属本体が、前記本体シェル内でスライド可能に移動するために前記金属シャフトと電気的に係合しており、前記ソケットスリーブと電気的にスライド式に接触して受けられている前記本体シェルと前記金属シャフトとの間に、ひいては前記移動可能電気接点への電気的連絡を提供することを特徴とする請求項５９に記載のタバコライター。
【請求項６３】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して移動するために、前記本体シェルに取り付けられたユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成された、電気加熱素子と、
を備え、
前記電気加熱素子が、前記本体シェルに関してほぼ中央に位置する第２電気端子を有し、前記第２電気端子が、中央に配設された固定体と電気的に接触し、
前記第１電気接触素子が、前記電気加熱素子を囲むシリンダ状接触素子を備え、
前記加熱素子が、螺旋形状をなしており、当該螺旋が、当該螺旋の外側に配設された前記第１電気端子を有し、
前記加熱素子の前記第１電気端子が、前記加熱素子を囲むコイル保持体へ電気的にかつ機械的に固定され、
前記コイル保持体が、折り返されており、当該コイル保持体の周辺領域に前記第１電気端子を固定し、前記周辺領域が、前記コイル保持体の周辺の一部のみを含むことを特徴とするタバコライター。
【請求項６４】
前記コイル保持体が、前記第１電気接触素子から離れた部品であり、前記第１電気接触素子と電気的に連絡することを特徴とする請求項６３に記載のタバコライター。
【請求項６５】
前記第１電気接触素子が、前記コイル保持体を囲む領域において内径が増大することを特徴とする請求項６４に記載のタバコライター。
【請求項６６】
前記コイル保持体及び前記第１電気接触素子が、一体化されていることを特徴とする請求項６３に記載のタバコライター。
【請求項６７】
前記コイル保持体が、前記第１電気接触素子に形成された複数のスナップタブ及び曲げタブによって、前記第１電気接触素子内に保持されていることを特徴とする請求項６３に記載のタバコライター。
【請求項６８】
一体化した前記コイル保持体を覆って受けられ、前記コイル保持体と電気的にかつ機械的に係合するキャップをさらに備えることを特徴とする請求項６６に記載のタバコライター。
【請求項６９】
ビードが、前記キャップに入り込んでおり、前記キャップを前記コイル保持体に固定することを特徴とする請求項６８に記載のタバコライター。
【発明の詳細な説明】
【技術分野】
【０００１】
本発明は、例えば自動車用の電気タバコライター及び例えば車両用のユニバーサル電源ソケットに関し、ユニバーサル電源ソケットは、このユニバーサル電気ソケットから給電式デバイスに給電することを可能とする。さらに、電気ソケットは、本発明の電気タバコライターと共に使用することを可能とする。その上、本発明は、ユニバーサル電気ソケットと共に使用されるアクセサリ電気プラグに関する。
【背景技術】
【０００２】
現代の車両は、喫煙習慣を減らすことを目的として、シガレット／タバコライターを具備しない標準形態で次第に供給されている。さらに、現代の車両は、例えば電子デバイス、コンピュータ、ビデオプレーヤ及びさまざまな他の形態の電子機器のための充電器などの現代の電子デバイスを給電するための電源ソケットを具備してと共に次第に供給されている。
【０００３】
過去には、タバコライターが車両における標準機器であったとき、ライターは、車両の電気ソケットにプラグ挿入されていた。電気ソケットは、主として、バイメタル素子を有しており、このバイメタル素子は、挿入すると、タバコライターを係合させてライターにエネルギーを付与し、また、このバイメタル素子は、タバコライターが動作温度に達すると、タバコライターへのエネルギー付与を停止する。バイメタル素子をソケット内に配置することによって、ライターを容易に形成することができ、このライターは、本質的に、ノブと、加熱素子と、必要な電気的及び熱的絶縁素子を有するスプリングと、を備える。
【０００４】
現在では、車両が標準機器としてはライターを具備して供給されておらず、車両の電気ソケットは、もはやバイメタル係合解除素子を具備してはいない。したがって、バイメタル素子は、ライターユニット自体に設けられている。例えばMattisの特許文献１及び特許文献２参照。
【０００５】
しかしながら、これら設計には、信頼性のある動作を可能とするために、必要とする高電流における適切な電気的接触を達成することに関する、並びに、ノブの適切な熱保護及びバイメタル素子への適切な熱移送に関する、欠点がある。
【０００６】
さらに、バイメタル素子がもはやソケット内に位置しないので、改良した電気ソケットを提供することが望ましく、この電気ソケットは、ライターとポータブルの電気／電子機器との双方に給電するための改良した電気的接触を提供するが、従来のソケットと共に使用される従来のプラグを使用することを可能とする。
【０００７】
さらに、改良したアクセサリ電気プラグを提供することが望ましく、このアクセサリ電気プラグは、ソケット内にプラグ挿入されて電気／電子デバイスに給電する。
【先行技術文献】
【特許文献】
【０００８】
【特許文献１】米国特許第６，７４０，８５０号明細書
【特許文献２】欧州特許出願第０９００４２２４．３号
【発明の概要】
【発明が解決しようとする課題】
【０００９】
本発明は、上記課題に取り掛かる。
【課題を解決するための手段】
【００１０】
本発明の一態様において、本発明は、タバコライターを構成し、このタバコライターは、タバコライターの加熱素子にエネルギーを付与するための電気ソケットに受けられるように構成され、このタバコライターは、ソケットのスリーブと電気的かつ機械的に接触するように構成された導電性本体シェルと、圧縮バネの付勢に抗して本体シェル内で入れ子式に移動するために、本体シェル内に受けられるユーザ作動可能なノブと、本体シェルの先端部に配設された電気加熱素子であって、第１電気接触素子と電気的に接触する第１電気端子を有し、第１電気接触素子が、電気加熱素子の周囲を囲んで配設され、電気ソケットの第１電気接点と電気的に接触するように構成され、電気加熱素子が、本体シェルとほぼ同心状に配置された第２電気端子を有し、第２電気端子が、中央に配設された固定体と電気的に接触する、電気加熱素子と、本体シェルから電気的に絶縁した固定体によって所定位置で保持され、加熱素子の第２端子と電気的に連絡する第１バイメタル素子であって、少なくとも２つの基端側に延在する係合クリップを有する、第１バイメタル素子と、ユーザ作動可能なノブと共に移動するように構成された移動可能電気接点であって、本体シェルと電気的に連絡し、第１及び第２位置を有し、このため、第１位置において、ノブが基端側に延在すると、移動可能電気接点がバイメタル係合クリップと電気的に係合せず、そのため、加熱素子にはエネルギーが付与されず、第２位置において、ノブを先端側に移動させると、移動可能電気接点がバイメタル係合クリップと係合しかつ上記係合クリップにより所定位置に保持され、加熱素子には所定の第１温度に達するまで電力によるエネルギーが付与され、第１温度において、上記バイメタル係合クリップが曲がって移動可能電気接点を上記バイメタル係合クリップから解放し、上記加熱素子へのエネルギー付与を停止し、上記バネの付勢に起因してノブを基端側に移動させる、移動可能電気接点と、を備える。
【００１１】
別の態様において、本発明は、ソケット内に受けられる電気プラグを有する電気／電子アクセサリデバイスを給電するための電気ソケットを構成し、この電気ソケットは、電気／電子デバイスの電気プラグをスライド式に受けるための導電性ソケットウェルと、ソケットウェルの先端側に配設された電気接続部分であって、ソケットウェルに対してその先端部に固定された絶縁体を備え、車両の電源に接続するための少なくとも２つの電気端子を有する、電気接続部分と、上記ソケットウェルの先端部に配設された複数の第１電気接点であって、上記ウェルの中央から径方向及び基端側に延在し、上記電気接続部分の上記電気端子のうちの第１のものに電気的に接続される、第１電気接点と、上記ソケットウェルに電気的に接続される上記電気接続部分の上記電気端子のうちの第２のものと、を備え、上記複数の第１電気接点が、上記電気プラグの中空のシリンダ状電気接点の内周と電気的にスライド式に係合するように構成されている。
【００１２】
さらに別の態様において、本発明は、電気アクセサリプラグを構成し、この電気アクセサリプラグは、電気ソケットの導電性ウェルとスライド式に電気的に係合するために、バネ負荷されかつ径方向に反る少なくとも１つの電気接点を有する筐体を有するプラグ本体と、上記筐体から絶縁され、先端側に配設された接点であって、上記電気ソケットのウェル内で絶縁した状態で配設された径方向に反る接点とその内周面においてスライド式に接触するように構成された導電性シリンダを備える、接点と、を備える。
【００１３】
別の態様において、本発明は、タバコライターのための加熱組立体を構成し、この加熱組立体は、シリンダ状本体であって、シリンダ状本体と電気的に接触する第１電気端子を有する電気加熱素子を有し、シリンダ状本体が、電気加熱素子の周囲に配設され、電気ソケットの第１電気接点と電気的に接触するように構成される、シリンダ状本体を備え、電気加熱素子が、シリンダ状本体に関してほぼ中央に位置する第２電気端子を有し、第２電気端子が、中央に配設された固定体と電気的に接触し、加熱素子が、螺旋形状をなしており、螺旋が、上記螺旋の外側に配設された第１電気端子を有し、上記第１電気端子が、シリンダ状本体にあるスロットを通して受けられており、これにより、シリンダ状本体と電気的に係合し、第２電気端子が、上記螺旋の内側に配設され、中央に配設された上記固定体と電気的に係合しており、加熱組立体が、上記シリンダ状本体の外側に配設された同心状キャップをさらに備え、キャップが、上記シリンダ状本体の少なくとも一部を囲み、上記キャップと上記シリンダ状本体の外周との間に上記加熱素子の第１電気端子を固定する。
【００１４】
さらに別の態様において、本発明は、タバコライターを構成し、このタバコライターは、タバコライターの加熱素子にエネルギーを付与するために電気ソケット内に受けられるように構成され、このタバコライターは、ソケットのスリーブと電気的にかつ機械的に接触するように構成された導電性本体シェルと、圧縮バネの付勢に抗して移動するために、本体シェルに取り付けられたユーザ作動可能なノブと、本体シェルの先端部に配設された電気加熱素子であって、第１電気接触素子と電気的に接触する第１電気端子を有し、第１電気接触素子が、電気加熱素子の周囲を囲んで配設され、電気ソケットの第１電気接点と電気的に接触するように構成されており、電気加熱素子が、所定の第１温度に達してタバコまたはシガレットの点火を可能とするように制御されている、電気加熱素子と、を備え、電気加熱素子が、本体シェルに関してほぼ中央に位置する第２電気端子を有し、第２電気端子が、中央に配設された固定体と電気的に接触し、タバコライターが、熱保護バイメタル素子をさらに備え、熱保護バイメタル素子が、上記加熱素子の温度が所定の上記第１温度よりも高い所定の第２温度に達すると、上記本体シェルまたは本体シェルと電気的に連絡する部分と電気的に接触するために上記第１電気接触素子と電気的に連絡し、安全上の問題を回避する。
【００１５】
さらに別の態様において、本発明は、タバコライターを構成し、このタバコライターは、タバコライターの加熱素子にエネルギーを付与するために電気ソケット内に受けられるように構成され、このタバコライターは、ソケットのスリーブと電気的にかつ機械的に接触するように構成された導電性本体シェルと、圧縮バネの付勢に抗して本体シェル内で入れ子式に移動するために、本体シェル内に受けられるユーザ作動可能なノブと、本体シェルの先端部に配設された電気加熱素子であって、第１電気接触素子と電気的に接触する第１電気端子を有し、第１電気接触素子が、電気加熱素子の周囲を囲んで配設され、電気ソケットの第１電気接点と電気的に接触するように構成され、電気加熱素子が、本体シェルとほぼ同心状に配置された第２電気端子を有し、第２電気端子が、中央に配設された固定体と電気的に接触する、電気加熱素子と、本体シェルから電気的に絶縁した固定体によって所定位置で保持され、加熱素子の第２端子と電気的に連絡する第１バイメタル素子であって、基端側に延在する係合素子を有する、第１バイメタル素子と、ユーザ作動可能なノブと共に移動するように構成された移動可能電気接点であって、本体シェルと電気的に連絡し、第１及び第２位置を有し、このため、第１位置において、ノブが基端側に延在すると、移動可能電気接点がバイメタル係合素子と電気的に係合せず、そのため、加熱素子にはエネルギーが付与されず、第２位置において、ノブを先端側に移動させると、移動可能電気接点がバイメタル係合素子と係合しかつ上記バイメタル係合素子により所定位置に保持され、加熱素子には所定の第１温度に達するまで電力によるエネルギーが付与され、第１温度において、上記バイメタル係合素子が、曲がって上記移動可能電気接点を上記バイメタル係合素子から解放し、上記加熱素子へのエネルギー付与を停止し、上記バネの付勢に起因して上記ノブを基端側に移動させる、移動可能電気接点と、を備え、ユーザ作動可能な上記ノブを先端側に押圧することによって、上記移動可能電気接点が、中央に配設された上記固定体の基端側を向く頭部と電気的に係合して保持されており、上記第１バイメタル素子が移動可能電気接点を解放した場合であっても、加熱素子への電流フローを維持する。
【００１６】
さらに別の形態において、本発明は、タバコライターを構成し、このタバコライターは、タバコライターの加熱素子にエネルギーを付与するために電気ソケット内に受けられるように構成され、このタバコライターは、ソケットのスリーブと電気的にかつ機械的に接触するように構成された導電性本体シェルと、圧縮バネの付勢に抗して移動するために、本体シェルに取り付けられたユーザ作動可能なノブと、本体シェルの先端部に配設された電気加熱素子であって、第１電気接触素子と電気的に接触する第１電気端子を有し、第１電気接触素子が、電気加熱素子の周囲を囲んで配設され、電気ソケットの第１電気接点と電気的に接触するように構成された、電気加熱素子と、を備え、電気加熱素子が、本体シェルに関してほぼ中央に位置する第２電気端子を有し、第２電気端子が、中央に配設された固定体と電気的に接触し、第１電気接触素子が、電気加熱素子を囲むシリンダ状接触素子を備え、加熱素子が、螺旋形状をなしており、当該螺旋が、当該螺旋の外側に配設された第１電気端子を有し、加熱素子の第１電気端子が、加熱素子を囲むコイル保持体へ電気的にかつ機械的に固定され、コイル保持体が、折り返されており、コイル保持体の周辺領域に第１電気端子を固定し、周辺領域が、コイル保持体の周辺の一部のみを含む。
【００１７】
本発明は、以下の詳細な説明において図面を参照しながらより詳細に説明される。
【図面の簡単な説明】
【００１８】
【図１】本発明にかかる第１実施形態のタバコライターを示す断面図であって、電気ソケット内に挿入され、タバコライターがスタンバイのエネルギー非付与位置にある、断面図である。
【図１Ａ】ソケット内にある図１のライターを示す図であって、エネルギー付与位置にある、図１において９０°回転させた図である。
【図１Ｂ】ソケットの詳細を示す図であって、Ｂ＋接点（給電）バネを有する、図１Ａにおいて１８０°回転させた図である。
【図２】スタンバイ位置にあるタバコライターを示す断面図である（ソケットを図示略）。
【図３】エネルギー付与位置にあるタバコライターを示す図である（ソケットを図示略）。
【図３Ａ】「リライト(relite)」機能を採用したときの図３に示すタバコライターを示す図である。
【図４】第２実施形態のタバコライターを示す斜視図である。
【図５】第２実施形態のタバコライターを示す断面図である（ソケットを図示略）。
【図５Ａ】エネルギー付与または給電オン位置にある第２実施形態のタバコライターを示す図である（ソケットを図示略）。
【図６】第２実施形態の加熱素子組立体を示す斜視図である。
【図７】加熱素子組立体を示す底部斜視図である。
【図８】加熱コイル保持体／接点の詳細を示す加熱素子組立体の一部を示す図である。
【図９】本発明にかかるタバコライターを示す図であって、代替形態の加熱素子組立体及びコイル保持体を採用した図である。
【図９Ａ】図９の実施形態の詳細を示す図である。
【図９ＡＡ】図９の変形実施形態を示す図である。
【図９Ｂ】図９の実施形態のための組み立て工程の詳細を示す図である。
【図９Ｃ】図９の実施形態のための組み立て工程の詳細を示す図である。
【図９Ｄ】図９の実施形態のための組み立て工程の詳細を示す図である。
【図９Ｅ】図９の実施形態のための組み立て工程の詳細を示す図である。
【図９Ｆ】図９の実施形態のための組み立て工程の詳細を示す図である。
【図９Ｇ】図９の実施形態のための組み立て工程の詳細を示す図である。
【図９Ｈ】図９の実施形態のための組み立て工程の詳細を示す図である。
【図９Ｉ】図９の実施形態のための組み立て工程の詳細を示す図である。
【図９Ｊ】図９の実施形態のための組み立て工程の詳細を示す図である。
【図９Ｋ】図９の実施形態のための組み立て工程の詳細を示す図である。
【図１０】本発明にかかるタバコライターを示す図であって、他の代替実施形態の加熱素子組立体及びコイル保持体を示す図である。
【図１０Ａ】図１０の実施形態の詳細を示す図である。
【図１０ＡＡ】図１０Ａの詳細を示す図である。
【図１０Ｂ】図１０の実施形態のための組み立て工程の詳細を示す図である。
【図１０Ｃ】図１０の実施形態のための組み立て工程の詳細を示す図である。
【図１０Ｄ】図１０の実施形態のための組み立て工程の詳細を示す図である。
【図１０Ｅ】図１０の実施形態のための組み立て工程の詳細を示す図である。
【図１０Ｆ】図１０の実施形態のための組み立て工程の詳細を示す図である。
【図１０Ｇ】図１０の実施形態のための組み立て工程の詳細を示す図である。
【図１０Ｈ】図１０の実施形態のための組み立て工程の詳細を示す図である。
【図１１】図８の加熱素子組立体を示す図であって、一形態の熱保護素子を示す図である。
【図１２】図８の加熱素子組立体を示す図であって、代替実施形態の熱保護素子を示す図である。
【図１３】別の代替実施形態の熱保護素子を示す図である。
【図１３Ａ】別の代替実施形態の熱保護素子を示す図である。
【図１３Ｂ】図１３Ａのバイメタル熱保護ディスクを示す図である。
【図１３Ｃ】加熱素子と作動されていないバイメタル熱保護ディスクとを示す図である。
【図１３Ｄ】１３ＣのＡ−Ａ線に沿う断面図である。
【図１３Ｅ】加熱素子を示す図であって、バイメタル熱保護ディスクが作動状態にある、図である。
【図１３Ｆ】図１３Ｅの加熱素子の中心面を通るＢ−Ｂ線に沿う断面図である。
【図１４】本発明にかかるユニバーサルソケットを示す断面図である。
【図１５】ユニバーサルソケットの接点組立体を示す底面図である。
【図１６】ユニバーサルソケットのための接点プレートを示す頂部斜視図である。
【図１７】接点プレートを示す底面図である。
【図１８】接点組立体の上側絶縁体を示す頂部斜視図である。
【図１９】上側絶縁体を示す底面図である。
【図２０】接点組立体の下側絶縁体を示す頂面図である。
【図２１】下側絶縁体を下方から見た図である。
【図２２】接点組立体を示す底部分解斜視図である。
【図２３】組み立て後の接点組立体を示す底部斜視図である。
【図２４】代替実施形態の接点組立体を示す９０°回転させた側面図である。
【図２５】代替実施形態の接点組立体を示す９０°回転させた側面図である。
【図２６】別の接点組立体を示す斜視図である。
【図２７】代替実施形態の接点組立体を示す頂面図である。
【図２８】代替実施形態の接点組立体を示す底面図である。
【図２９】さらなる接点組立体を示す側面図である。
【図３０】さらなる接点組立体を示す側面図である。
【図３１】さらなる接点組立体を示す斜視図である。
【図３２】さらなる接点組立体を示す図である。
【図３３】さらなる接点組立体を示す図である。
【図３３Ａ】さらなる接点組立体を示す図である。
【図３４】さらなる接点組立体を示す図である。
【図３４Ａ】さらなる接点組立体を示す図である。
【図３４Ｂ】さらなる接点組立体を示す図である。
【図３５】さらなる実施形態のソケットを示す断面図であって、別の接点組立体を示す、断面図である。
【図３６】図３５の実施形態を示す側面図である。
【図３７】公知の車両の電力コンセントと共に使用するための従来技術の電気プラグを示す図である。
【図３８】どのように本発明にかかるユニバーサルソケットを従来技術のプラグ内で受けるかを示す図である。
【図３９】本発明にかかる電気アクセサリデバイスプラグを示す図であって、本発明にかかるユニバーサルソケット内に挿入されている、図である。
【図４０】どのように第２実施形態の発明にかかる電気タバコライターを本発明にかかるユニバーサルソケット内に挿入するかを示す図であって、タバコライターがスタンバイ位置にあることを示す、図である。
【図４１】どのように第２実施形態の発明にかかる電気タバコライターを本発明にかかるユニバーサルソケット内に挿入するかを示す図であって、タバコライターが給電オン位置にあることを示す、図である。
【発明を実施するための形態】
【００１９】
ここで図面を参照すると、図１は、本発明にかかる一実施形態の電気タバコライター１０を示しており、この電気タバコライターは、公知の車両の電気ソケット２００内に受けられている。タバコライター１０は、図１においてそのスタンバイまたは非エネルギー付与位置で示されている。図２は、スタンバイ位置にあるがそのソケット内にないタバコライターを示す。図３は、エネルギー付与位置にあるがソケット内にないタバコライターを示す。
【００２０】
タバコライター１０は、例えば腐食を抑制するためにスチール張りされたような金属で形成されたシリンダ状シェル１１を備える。シェル１１は、リング状ノブエスカチオン(escutcheon)１２に取り付けられている。中央ノブ部分１４は、コイルバネ１６の抗力に対してその中でスライド可能に移動するためにエスカチオン１２内に受けられている。ノブ１４は、金属シャフト１８に同心状に組み込まれている。ノブ１４及びエスカチオン１２は、主として、プラスチック材料で形成されている。
【００２１】
シャフト１８の先端部には、ネジ２０が設けられている。ネジ２０は、環状電気接点２２をシャフト１８に保持させる。
【００２２】
タバコライター１０の基部または最先端部には、シリンダ状シェル１１内に形成された細長い領域２４が設けられている。細長い領域２４には、加熱素子２６を有する電気加熱組立体が設けられている。電気加熱素子組立体は、加熱素子２６を囲む接点／シールド２８を有する。加熱素子２６は、主として、ニクロム線またはバンドのような抵抗物質で形成されており、このニクロム線またはバンドは、螺旋状に形成され、シールド２８に固定された巻回部の外側部分を有し、これは、電気接点として機能する。加熱素子２６の最も内側の端部は、接点リベット３０に接続されており、この接点リベットは、例えばセラミックで形成された電気的及び熱的な絶縁体３２内に組み込まれている。絶縁体３２に組み込まれたバイメタル素子３４は、リベット３０に電気的に、そして加熱素子に接続されており、このバイメタル素子は、２つの対向部材３４Ａ及び３４Ｂを有するクリップ状に形成されている。バイメタル素子は、ライター内においてスイッチの一部として設けられており、このスイッチは、加熱素子が動作温度に達するまで加熱素子２６にエネルギーを付与することを可能とし、この動作温度点において、バイメタル素子は、外側に曲がり、ここで説明するように接点２２から係合解除し、加熱素子２６へのエネルギー付与を停止する。
【００２３】
図２は、その非エネルギー付与位置にあるタバコライターを示す。図１は、ソケット内に係合しているがバイメタルクリップ素子３４が接点２２と電気的に接触していないために非エネルギー付与状態にあるタバコライターを示す。
【００２４】
図１、図１Ａ及び図１Ｂを参照すると、ソケット２００の先端部には、成形プラスチックで形成された電気的絶縁体２２２が設けられており、この電気的絶縁体は、車両の電源から電力を受けるための２つの電気端子２２４及び２２６を有する。これらの一方の端子２２４は、ソケット２００の中央リベット２１０に結合されており、他方は、ソケットシェル２２０に結合されている。
【００２５】
ライター１０をソケット２００内に挿入すると、シリンダ状シェル１１の細長い領域２４は、図１Ｂに示すように、保持槍部２２８の球状外観部２２９に係合する。この係合は、ライター１０をソケット２００内の正確な位置で保持する。本発明は、保持槍部２２８を所定位置に配置し、この位置は、保持槍部が金属ソケットシェル２２０の開口部に近接して配置されている従来のタバコライターとは異なり、アクセサリ雄型プラグをソケット２００内に挿入したときに歪まない。これにより、外力から保持槍部が保護される。
【００２６】
加熱ユニットを係合するために、ノブ１４は、図３に示す位置に配置されている、すなわち、ノブは、圧縮バネ１６の付勢に抗して環状エスカチオン１２内に押圧される。環状接点２２は、図３に示すように、バイメタル素子３４の２つの対向端部３４Ａ及び３４Ｂ間に受けられる。このため、接点２２とバイメタル素子３４との間には、電気接点がある。これにより、ソケットからの電気回路が完成する。特に、ライターユニット１０をソケット２００内に挿入してノブ１４が図３に示すような押込位置にあると、ライターユニットは、電気的にエネルギーが付与される状態に位置する。電流は、ソケットリベット２１０に結合された端子２２４（図１）に接続された車両の正電源（ここでは正電流転換を用いる）から流れ、このソケットリベットは、図１Ａ及び図１Ｂに示すように、ソケット端子２２７に電気的に結合されている。シールド２８は、ノブ１４が押込位置にあると、端子２２７と電気的にかつ機械的に係合する。電流は、コイル状の加熱素子２６を通って流れて加熱素子２６を加熱し、そして、中央リベット３０に及びバイメタル素子３４に流れ、このバイメタル素子は、接点２２と電気的にかつ機械的に係合する。電気回路は、シャフト１８及び導電素子３６を通って外側ライターシェル１１まで完成し、このライターシェルは、金属ソケットシェル２２０に、したがって端子２２６を介して車両帰地路に電気的に結合される。
【００２７】
加熱素子２６が動作温度に達すると、バイメタル素子３４に対流される／放射される／伝導される熱は、バイメタル素子の端部３４Ａ及び３４Ｂを外方に曲げ、これにより、接点２２を端部と係合解除するように移動させ、かつ、圧縮バネ１６によってもたらされる力を用いてバイメタル素子３４を上方へ離間移動させる。これにより、電気回路が切断され、加熱素子２６は、もはやエネルギー付与されないが、ソケット２００から取り外し可能となってシガレットまたはタバコを点火するために使用される。
【００２８】
本発明は、バイメタル素子をソケット２００内に配置した従来のタバコライターとは異なり、バイメタルスイッチ接点３４をタバコライター内に配置している。これにより、外力からバイメタル接点を保護する。
【００２９】
加熱素子２６に対するバイメタル接点３４の基端側は、熱移送の改善をもたらし、その結果、伝導のかつ対流の手段による加熱素子温度の制御を改善する。作動ノブ１４に接続されるシャフト１８に接続してスイッチ接点２２を配置することにより、ノブ１４の表面温度が下がる。
【００３０】
接点２２は、同様に、「リライト」機能と称する機能を有し、バイメタル接点３４が熱移送から外側に曲げられたときにライターユニットへの連続的な給電を可能とする。具体的には、バイメタル素子が外方に反って加熱素子へのエネルギー付与を停止させた後であってもユーザが加熱素子にエネルギーを付与し続けたい場合に、ユーザは、ノブ１４をノブエスカチオン１２内へ後方に押し込み、ノブ１４を押圧したままとして加熱素子２６をエネルギー付与位置で維持する。そして、加熱素子２６は、接点２２とバイメタル素子３４との間の電気的接触を介さずに、図３Ａに示すように、ネジ２０の頭部３７と中央リベット３０の頂部３１との間の電気的接触によりエネルギー付与され続ける。これにより、加熱素子２６の接地側とネジ２０の頭部３７との間の、したがってシェル１１への、これによりソケットシェル２２０への電気的連続性を確保する。
【００３１】
以下で詳述するように、ライターユニットの内側の温度が安全温度を超えて増加する場合、特に、加熱素子２６にエネルギーを付与し続けるこの機能を使用しすぎた場合、ライターユニット１０内にある機能が設けられており、この機能は、電気的短絡回路を提供し、タバコライターソケット２００に電力を供給する電気回路にあるヒューズを飛ばし、これにより、ソケット内のタバコライター構成部材またはソケットへの配線が火災の原因となることや溶融する危険性を抑制する。
【００３２】
図４は、第２実施形態のタバコライターを斜視図で示す。第２実施形態は、２部品式のノブを備え、このノブは、押込部分１４Ａ及び襟部１４Ｂと、本明細書で説明する新規のソケット（図１４参照）内に受けられるシリンダ状シェル１１Ａと、を備える。
【００３３】
図５を参照すると、図４のライターは、断面図で示されており、非エネルギー付与位置にある。ノブ１４は、外側部分１４Ａ内に受けられた入れ子式のノブ部分１４Ｂを備え、このノブ部分は、ユーザによって作動され、コイルバネ１６の付勢に抗して図５に示す位置に保持される。
【００３４】
図５のタバコライターは、バイメタル素子３４、シャフト１８及び接点２２を有する。シャフト１８及び接点２２は、外側シェル１１Ａとスライド式に電気的に接触している部分３６と電気的に接触している。
【００３５】
タバコライターの先端部には、導電性のシリンダ状金属接点／コイル保持体２８Ａが設けられている。接点２８Ａは、キャップ２９内に受けられる。加熱素子２６は、図１の実施形態のように螺旋状をなし、後述するように、その外周部は、接点２８Ａと電気的に接触する。キャップ２９は、同様に、金属などの導電性材料で形成されている。
【００３６】
図６は、加熱素子組立体を斜視図で示しており、絶縁体３５に受けられたバイメタル接点３４を示す。絶縁体３５は、外側シェル１１Ａと接触する接地保持体３８と同心状に位置する。接地保持体３８は、絶縁体４０（図５）によって、バイメタル接点３４及び中央リベット３０から、同様にキャップ２９から絶縁されている。
【００３７】
図７は、加熱素子組立体の底面斜視図を示しており、接地保持体３８、シリンダ状接点２８Ａ及びキャップ２９を示す。接地保持体３８とキャップ２９との間には、絶縁体４０が配設されている。さらに、キャップ２９の上方には、熱的バイメタル保護体４１が配設されており、この熱的バイメタル保護体は、後述するように、電気タバコライターを過熱から保護するように設計されている。
【００３８】
図７及び図８に示すように、加熱素子２６は、螺旋状に巻回されており、接点２８Ａとキャップ２９との間に受けられる外側端部２６Ａを有する。加熱素子２６の外端部または尾部２６Ａは、図８に示すように、接点２８Ａに設けられた円状溝部４２内で捕捉されている。尾部２６Ａは、接点２８Ａとキャップ２９との間で捕捉されており、所定位置でしっかりと保持され、接点２８Ａとの電気的接触を形成する。尾部２６Ａは、図８に示すように、接点２８Ａに設けられたスロット４４を通して円状溝部４２内に受けられる。キャップ２９には、同様に、図６における位置合わせ溝部４３が設けられており、尾部２６Ａをしっかりと捕捉し、良好な電気的接触を確保する。
【００３９】
加熱素子２６の内端部は、図７に示すように、例えばスウェージ加工する(swaging)ことによって、加熱素子組立体の中央において中央リベット３０の端部に設けられたスロット３０Ａ内にしっかりと嵌合されている。
【００４０】
図５Ａは、エネルギー付与状態にあるタバコライターを示す。電流は、シリンダ状接点２８Ａから加熱素子２６を通ってリベット３０へ、クリップ３４へ、そこから環状接点２２へ、シャフト１８へ、そして、部材３６を通ってシェル壁部１１Ａへ、そこからソケット壁部へ、地帰路へ流れる。バイメタル接点３４が適切な温度に対応する所定温度に達してタバコを点火することを可能とすると、クリップ３４の端部は、回路を遮断するのに十分に外方に曲がり、バネ１６は、環状接点２２を後退させる。
【００４１】
上述のように、同様に、図５、図６及び図７に示すように、バイメタル熱保護体４１が設けられており、このバイメタル熱保護体は、加熱素子２６の過熱に起因して加熱素子の温度が所定の安全温度を超える場合に、外方に曲がる。これが発生する場合、バイメタル熱保護体４１は、径方向外側に曲がり、外側シェル１１Ａと接触し、接地への短絡回路を引き起こし、ソケットへの供給ラインにあるヒューズを飛ばし、これにより、加熱素子２６のエネルギー付与を停止し、火災の原因となる危険性を抑制する。保護体４１は、キャップ２９及び接点２８Ａと電気的に接触する。
【００４２】
図９は、本発明にかかるタバコライターを示し、このタバコライターは、代替実施形態のコイル保持体を用いる。この実施形態において、全折返型(full rollover)のコイル保持体を用いる。
【００４３】
このコイル保持体のデザインは、米国特許第４，００７，３５３号明細書及び米国特許第４，０４５，８６５号明細書に含まれる開示と同様である。
【００４４】
特に、図９における実施形態のタバコライターは、そのソケットに挿入されて示されている。特に、この実施形態における差異は、どのように加熱素子２６をコイル保持体内で保持するかに関する。
【００４５】
図９に示す実施形態において、全折返型のコイル保持体２７を使用する。詳細を図９Ａに示す。同様に、図９に示す実施形態において、コイル保持体キャップ２８ＡＡは、図５の接点２８Ａと同様に、タバコライターの正極側接点として機能する。コイル保持体キャップ２８ＡＡは、点２８ＡＡＡにおいて示すように、段階的に縮径している。図９Ａに示す実施形態において、コイル保持体キャップ２８Ａは、段階的に縮径していないが、円周ビード２８ＡＡＡＡは、コイル保持体キャップ２８Ａ、２８ＡＡに対して全折返型のコイル保持体２７を保持させる。
【００４６】
代替実施形態は、円周ビード２８ＡＡＡＡを局所的な複数のディンプル２８ＡＢＡ（図９ＡＡ参照）で置換している。
【００４７】
この実施形態の加熱素子組立体において、加熱素子２６は、折り返されたコイル保持体２７によって所定位置で保持される。これは、図９Ａにおいて詳細に示される。特に、加熱素子の尾部２６Ａは、図９Ａ及び図９Ｂに示すように、製造工程中において、コイル保持体２７内に受けられる。加熱素子２６は、コイル保持体２７内に挿入されており、製造工程中において、縁部は、図９Ｃに示すように、折り返され、加熱素子の尾部２６Ａを保持し、これにより、しっかりとした電気的なかつ機械的な接続をもたらす。図９Ｄは、コイル保持体２７がそれを囲むように折り返されたときにどのように加熱素子の尾部２６Ａを捕捉するかを示す。図９の実施形態は、コイル保持体がコイル保持体の全周に沿って折り返されているので、全折返型のコイル保持体と称する。
【００４８】
図９Ｅから図９Ｉは、製造工程のさらなる詳細を示す。コイル保持体２７の縁部を折り返した後、図９Ｅ及び図９Ｆに示すように、リベット３０を挿入する。加熱素子の中央端子２６Ｂは、リベット３０のスロット３０Ａにスウェージ加工されており、リベット３０に対してそれをしっかりと機械的にかつ電気的に固定する。図９Ｆは、加熱素子２６及びコイル保持体２７に組み付けられたリベットを示す。そして、図９Ｇに示すように、コイル保持体キャップ２８Ａは、ソケットの正極側の電気的接点として機能し、コイル保持体キャップ２８とリベット３０の肩部３０Ｂとの間に設けられた絶縁体３７と共にリベットに組み付けられる。正極側接点として機能するコイル保持体キャップ２８Ａとコイル保持体２７に電気的に係合されるものとの間には、電気的絶縁を設けなければならない。
【００４９】
図９Ｈは、段階的に縮径するコイル保持体キャップ２８ＡＡを有する代替実施形態を示しており、点２８ＡＡＡにある縮径部を示す。図９Ｉは、縮径する実施形態を断面図で示す。
【００５０】
図９Ｊ及び図９Ｋは、コイル保持体２７をコイル保持体キャップ接点２８Ａ内でしっかりと保持することを確実にする代替方法を示す。一実施形態において、図９Ｊに示すように、３つの局所的なスナップタブ３５Ａは、コイル保持体キャップ２８Ａ回りに角度的に間隔をあけて設けられている。例えば、これらは、等角度間隔をあけている。３つのタブを示しているが、より少ないまたはより多い数を用いてもよい。
【００５１】
図９Ｋは、代替実施形態を示しており、湾曲タブ３５Ｂを示す。複数のタブは、コイル保持体キャップ２８Ａ回りに角度的に間隔をあけて用いられている。より少ないまたはより多い数を用いてもよい。
【００５２】
図１０は、本発明にかかるタバコライター（ソケット内に示す）内にある代替実施形態の加熱素子組立体を示す。この実施形態において、部分折返型のコイル保持体２７Ａを使用する。この実施形態において、図１０Ａ及び図１０ＡＡにおいて詳細に示すように、コイル保持体２７Ａは、コイル保持体２７Ａの外周部の所定角度領域のみにおいて折返部を使用している。この実施形態において、特に図１０ＡＡで詳細に、特に図１０Ｂから図１０Ｄでさらに詳細に示すように、加熱素子２６は、図１０Ｂに示すように、リベット３０に取り付けられている。そして、図１０Ｄに示すように、加熱素子の尾部２６Ａは、コイル保持体２８ＡＢ内に挿入され、このコイル保持体は、一体型のコイル保持体及びタバコライターの正極側接点として機能する。加熱素子２６は、部分折返領域２７Ａに位置合わせされており、または、部分折返領域２７Ａ内に挿入されており、この部分折返領域は、その後、圧着されて加熱素子２６の尾部２６Ａに対するしっかりとした電気的接触をもたらす。このため、この実施形態において、コイル保持体２７全体を折り返すまたは圧着する必要はない。述べたように、この実施形態において、コイル保持体２７及び接点２８ＡＢは、単一の一体型の構成部材を形成する。そして、図１０Ｆに示すように、コイル保持体２８ＡＢ内で保持されてリベット３０に固定された加熱素子２６を備える加熱素子組立体は、図９の実施形態のように、それらの間に絶縁体３７があるリベット３０を用いてコイル保持体キャップ２９に取り付けられる。そして、キャップ２９とコイル保持体２８ＡＢとの間の係合を確実にするため、ビード４２は、キャップ２９内に巻かれており、キャップ２９をコイル保持体２８ＡＢにしっかりと係合させる。図１０Ｇ及び図１０Ｈ参照。
【００５３】
図１１は、さらなる実施形態の熱保護バイメタル接点を示し、ここでは、この接点を符号４１Ａで特定する。
【００５４】
図１１において、バイメタル４１Ａは、ノブ１４に向けて上方を向いている。動作温度が非安全温度まで増加する場合、バイメタル４１Ａは、径方向外側に曲がり、接地保持体３８との電気的接触を形成し、これは、タバコライターへの電力を除去する短絡回路をもたらし、このため、火災の原因となることを防止する。
【００５５】
代替実施形態において、図１２に示すように、熱保護バイメタルを符号４１Ｂで示す。この実施形態において、バイメタル４１Ｂは、図１２に示すように、断面Ｕ字状をなしており、径方向外側に曲がって接地保持体３８との接触を形成し、このため、ヒューズを飛ばすための短絡回路を形成し、タバコライターへの電源供給を除去する。
【００５６】
図１１及び図１２において接点２８Ａを用いていることに留意されたい。しかしながら、図１から図３の接点／シールド２８を採用してもよい。
【００５７】
図５に示す熱保護バイメタルの詳細図を図１３に示す。この実施形態において、バイメタル４１は、先端側を向き、外方に曲がっており、外側シェル１１Ａと電気的に係合して過電流時に短絡回路をもたらし、タバコライターに電力を供給するヒューズを飛ばして火災の原因となることを防止する。
【００５８】
図１３Ａは、代替のかつ現在好ましい実施形態の熱保護バイメタル素子を示す。他の実施形態として、この素子は、加熱素子からの過剰な熱移送からの熱保護をもたらし、ソケット内の配置と比較して加熱ユニット内に位置する。
【００５９】
図１３Ａを参照すると、１以上の作動ビーム４１Ｄを形成する切欠部４１ＣＣを有する円形のバイメタルディスク４１Ｃは、コイル保持体キャップ２９と密接して配置されている。ロック孔部４１Ｅは、セラミックの絶縁体３５のロックピン３５Ａと位置合わせして非対称に位置付けられており、バイメタルディスク４１Ｃの低膨張側を正確に方向付けることを確実にする。正確に方向付けないと、ディスクがコイル保持体キャップ２９の外周に対して同心でなくなることを招き、このため、その後の組み立て段階への組み立てに問題を引き起こす。この同心でないことは、組み立て中に明確であり、このため、このような不正確な組み立てを防止する。
【００６０】
絶縁隔離ディスク４０Ａは、バイメタルの片持梁４１Ｄが反ることを可能とする対応する切欠部４０Ｂを有し、ロック孔部４０Ｅを有しており、熱保護バイメタルディスク４１Ｃと位置合わせされ、過剰な熱に晒されると作動ビーム４１Ｄが反って接地保持体３８に短絡することを可能とする。
【００６１】
隔離ディスク４０Ａは、電気的な隔離と、バイメタルディスク４１Ｃと接地保持体３８との間にあるギャップ及び加熱素子の温度を効果的に決定する距離を制御するための手段と、を提供し、この温度において、バイメタルディスクがグラウンドに短絡し、ライン内のヒューズが開放するまで電流が増加する。
【００６２】
図１３Ａから図１３Ｆの実施形態は、ギャップを制御する単純かつ正確な方法を紹介しており、このギャップを通して、バイメタルビーム４１Ｄは、短絡して電気回路を接地させるように移動する。従来技術は、このギャップを制御するための関連する許容誤差を有する２以上の寸法特徴を提供する。
【００６３】
従来技術とは異なり、この実施形態は、対応して温度が変化するバイメタルディスク４１Ｃの均一な温度を維持する一方で、コイル保持体キャップ２９は、温度が増加する。従来技術は、結果として、対流熱によって冷却されるバイメタル部材のセクションをもたらし、その結果、昇温が存在することに起因して部材が反る前に、バイメタル部材にわたる熱勾配をもたらす。これは、信頼できない動作を引き起こす。
【００６４】
非対称なロックピン３５Ａと位置合わせして、コイル保持体キャップ２９（２９Ｅ）に、熱保護ディスク４１Ｃ（４１Ｅ）に、隔離ディスク４０Ａ（４０Ｅ）に、及び、接地保持体３８（３９Ｅ）に、非対称のロック孔部を位置付けることにより、バイメタルディスク４１Ｃの低膨張側の方向付けを視覚的に確認することがもたらされる。そして、バイメタルディスクの低膨張側を正確に方向付けない場合、ディスクの外周は、コイル保持体キャップの外周の包絡線を超えて突出し、これにより、灰ガードに後続して組み立てることを防止する。このため、ディスク４１Ｃを正確に方向付けないか、すなわち高熱膨張側が下方ではなく上方を向いているかが明らかである。
【００６５】
図１の実施形態にかかるタバコライターとは対照的に、図５の実施形態は、正極供給側タバコライターの電気接点、すなわち、シリンダ状接点２８Ａを利用する。図１の実施形態において、正極供給接点は、従来のタイプである、すなわち、接点／シールド部材２８は、ソケットの正極接点に接触する。この従来の設計とは対照的に、図５に示す実施形態において、新規の設計の接点２８Ａは、シリンダ状デザインからなり、この接点は、後述する新規のかつ改良したソケット接点と接触する。新規の接点２８Ａは、接点２８Ａと加熱素子２６との間の安定した低い接触抵抗の電気接続を提供することによって、また、自己クリーニング（スライド式接触）能力を提供してソケット接点との間に電気アークが形成されることを最小化することによって、電流の取り扱い能力を改善する。
【００６６】
本明細書の記載の電気タバコライターは、バイメタル素子がソケットに配置されている従来の設計に対してバイメタル素子３４がライターユニット内に配置されているので、タバコライターの電源を入れるための手段であって外力から保護されている手段を提供する。
【００６７】
本発明にかかる電気タバコライターは、バイメタル素子３４を加熱素子に近接近して配置し、伝導、対流及び放射による加熱素子からバイメタル素子への熱移送を可能とすることによって、加熱素子の熱制御を改善する。
【００６８】
本発明にかかる電気タバコライターは、連続給電機能を提供し、この連続給電機能は、電流を遮断するようなバイメタル接点３４が接点２２から分離した後にも連続的な電流を可能とし、連続的な熱供給ではあるがタバコライターの適切な熱保護を確実にすることを可能とする。この機能は、作動ノブ１４を連続的に押下すると作動され、ネジ２０の頭部をリベット３０の頭部３１と接触することを可能とする。
【００６９】
タバコライターのシリンダ状電気接点２８Ａは、接触素子２８Ａの内径部に対してソケットからの電気的接触を形成することを可能とする。これにより、自己洗浄スライド動作するための能力が提供され、この自己洗浄スライド動作は、従来技術の設計において見られた電気アークによる潜在的な有害な影響を低減する。これを達成するため、後述する新規なソケット接点を使用する。
【００７０】
電気タバコライターは、加熱素子２６とコイル保持体／接点２８Ａとの間に低接触抵抗を有する安定した電気接点を提供する。さらに、新規な接点２８Ａは、受動的な移動しない灰ガードとして機能し、この灰ガードは、従来技術の灰ガードの設計にある移動部分に関する関連する機能的な問題すべてを排除する。
【００７１】
さらに、本願のタバコライターは、熱保護バイメタルデバイスをライターユニット自体内に配置することによって、タバコライターの加熱ユニット及びソケットの熱保護を提供する。本発明にかかるタバコライターは、従来のソケット内への配置とは対照的に、熱保護デバイスをライターユニット内に配設することによって、商業的な利点を達成する。熱保護は、所定温度に達したときに加熱素子への給電を取り除いて安全上の問題を防止するために必要である。熱保護素子を加熱素子内に配置することにより、オリジナルの機器製造者は、ユニバーサルな電源ソケットを提供することが可能となり、この電源ソケットは、熱保護に関連する追加のコストを発生させない。
【００７２】
図１４は、図５に示すタバコライターに、及び、例えば電気タバコ、ラップトップコンピュータなどの他の電気アクセサリデバイスに、給電するために使用されるユニバーサル電源ソケットを示す。
【００７３】
従来、車両の電源ソケットは、いくつかのデザインからなっている。一デザインにおいて、バイメタル素子は、ソケット内に挿入することを意図しているタバコライターと共に使用するためのソケット内に設けられている。別のデザインにおいて、ソケットは、バイメタル素子を有していない。その替わりに、中心に配置された正極側車両電源供給接続が設けられており、これは、電気プラグにあるバネ負荷式接点と接触するように構成されている。タバコライターと共に使用するように構成された別の設計において、バイメタル素子は、タバコライター内に組み込まれており、正極側供給ソケット接点は、ライターの正極側供給接点と係合する。特許文献１及び２参照。これら設計全てにおいて、接地接続は、ソケットのシェルによってもたらされる。
【００７４】
これら設計の問題点は、中央のまたは正極の接点との接触が不十分である場合があることである。しばしば、これらソケットを使用する従来技術のプラグは、バネ負荷式中央接点を有し、この中央接点は、バネ力の作用を介してソケットの中央接点と係合し、電気的接触を維持する。同様に、上記２つの特許文献におけるライターは、正極側電気接点に関してバネ接触に依存している。しかしながら、これらは、電気的接触が不十分となる。
【００７５】
従来技術の電気アクセサリプラグ３００の一例を図３７に示す。この設計は、ソケットのシェルと電気的に接触するために、バネ負荷式湾曲接地接点３１０を使用している。中央のバネ負荷式正極接点３２０は、正極側のソケット接点と接触するために設けられている。しばしば、電気的接触を最初に形成するまたは電気的接触を取り除くと、正極接点は、アークを発生させ、結果として接点への損傷を招き、これは、より抵抗の高い電気的接続を形成させる。本発明のソケットは、これらの影響を排除する。
【００７６】
同時に、本発明にかかるソケットは、図３７に示す従来技術のアクセサリプラグ３００とも使用されるので、ユニバーサルソケットである。
【００７７】
図１４を参照すると、本発明にかかる電源ソケットが示される。この実施形態において、ソケットは、ソケットウェル４００と電気接続部分４０５とを備え、この電気接続部分は、車両の電源供給部に接続するための電気端子４１２（図３６）及び４１４が設けられた絶縁本体４１０を備える。端子４１４は、中央リベット４１６に電気的に接続されている。リベット４１６は、ソケットシェル４００内で上側絶縁体４１８を同心状に保持する。このため、リベットは、シェル４００から絶縁される。電気接点プレート４２２は、リベット４１６と電気的に接続されており、絶縁体４１８と追加の下側絶縁体４２０との間で固定されている。電気接点プレート４２２は、図１６及び図１７に示すように、複数の径方向及び基端側を向く接触素子４２２Ａを有する。下側絶縁体４２０は、接点プレート４２２をシェル４００から絶縁する。
【００７８】
図１６を参照すると、電気接点プレート４２２が示される。電気接点プレートは、複数の、図示の実施形態では３つの、スライドするバネ負荷式電気接点４２２Ａを有し、この電気接点４２２Ａは、図５のタバコライターのコイル保持体／接触素子２８Ａの内面と後述するアクセサリプラグとに電気的に接触するように構成されており、このアクセサリプラグは、自動車で使用される電気／電子アクセサリデバイスに給電するために使用される。図１６は、電気接点プレートを頂部斜視図で示す。図１７は、電気接点プレート４２２を底部斜視図で示す。電気接点プレート４２２は、接触素子の中央開口部４２３を通って延在するリベット４１６によって所定位置に保持されている。中央開口部４２３は、リベット４１６への良好な電気的接触を確実にするために把持面４２１を有する。
【００７９】
図１８及び図１９は、上側絶縁体４１８の頂部及び底部斜視図を示す。
【００８０】
上側絶縁体４１８は、複数の位置合せ凹所４２４を有する。上側絶縁体４１８及び下側絶縁体４２０は、ソケットウェル４００からの接点プレート４２２及びリベット４１６の電気的絶縁をもたらす。
【００８１】
下側絶縁体４２０は、図２０及び図２１において頂面図及び底面図でそれぞれ示される。下側絶縁体は、上側絶縁体４１８の位置合せ凹所４２４に受けられる複数の位置合せ突出部４２５を有する。下側絶縁体４２０は、ソケットウェル４００からの接点プレート４２２及びリベット４１６の電気的絶縁をもたらす。位置合せ突出部４２５は、接点プレート４２２及び上側絶縁体４１８に対して指標付けさせる。下側絶縁体４２０は、内径部及び外径部を有する案内肩部４２６を有する。案内肩部の外径部及び内径部は、ウェル４００への接点プレート４２２の同心性を制御する。
【００８２】
図２２は、接点組立体を示す底部分解図であり、この接点組立体は、リベット４１６、上側絶縁体４１８、接点プレート４２２及び下側絶縁体４２０を有する。図２３は、組み立て後の接点組立体を示す底部斜視図である。リベット４１６は、接点組立体をソケット絶縁体４１０に対して保持し、ウェル４００の底部は、下側絶縁体４２０とソケット絶縁体４１０との間に固定されている。図１４参照。
【００８３】
図２４から図２８は、別の接点組立体の構造を示す。この構造において、電気接点プレート４２２Ａは、複数のバネ負荷式接点突出部４２２Ｂを有し、これら接点突出部は、絶縁体４１８の開口部を通して突出し、図５に示す接触素子２８Ａの内径部と接触する。下側絶縁体を符号４２０Ａで示す。
【００８４】
別の実施形態を図２９から図３１に示す。この実施形態において、接点プレート４２２Ｂは、図５に示す接点２８Ａの内径部と接触する２つの対向する接点４２２ＢＡを有する。この設計では、単一の絶縁体４１８Ｂを使用する。
【００８５】
図３３Ａ、図３４Ａ及び図３４Ｂを含む図３２から図３４は、さらなる実施形態を示しており、２つの接触素子を有する接点プレート４３３Ｃを使用する。この実施形態において、絶縁体を参照符号４１８Ｃで示す。
【００８６】
これら実施形態すべてに共通することは、電気接点プレート４２２、４２２Ａ、４２２Ｂ及び４２２Ｃが接点ボタンを有することであり、この接点ボタンは、図５に示すように、擦るまたはスライドする作用によって、バネ負荷されて接点２８Ａの内面と接触し、これにより、接点の自己洗浄をもたらしており、これは、十分な導電性を妨げるアーク形成を低くしかつ堆積を少なくする。
【００８７】
図３５及び図３６は、さらに別の実施形態を示す。この実施形態において、接点プレート４２２Ｄは、上方に延在し、そして下方に曲がる指部を有し、そのため、下方に曲がる部分は、アクセサリプラグまたはタバコライターを挿入したときに指部が接点２８Ａの内面に接して擦ると曲がる。
【００８８】
このため、ユニバーサル電源ソケットは、図５に関連して説明したタバコライターに給電するために使用され、同様に、電気アクセサリデバイスと共に使用される。そのため、本発明にかかる電源ソケットは、タバコライターとは独立した機能を有する。電源ソケットが本明細書において図５に関連して説明したタバコライターに給電するために使用されるが、電源ソケットは、他の電気及び電子アクセサリデバイスと共に使用されてもよく、これらアクセサリデバイスは、ソケットと互換性のある電気アクセサリプラグを使用する。
【００８９】
上述のように、本明細書で説明したユニバーサル電気ソケットは、ユニバーサル電気ソケットと連動する電気プラグを用いて、アクセサリデバイスに給電する。同様に、本発明の電気ソケットは、上述しかつ図３７に示すように、商業的に入手可能なプラグと連動する。図３７に示す商業的に入手可能な電気アクセサリプラグは、バネ作動する正極接点３２０が給電出口リベット４１６と電気的に接触するまで、ユニバーサル電源ソケット内へスライド式に受けられる。１以上の接地接点バネ３１０は、ウェルへの帰地回路を完結する。
【００９０】
図３８は、どのように従来技術の電気アクセサリプラグが本発明にかかるユニバーサルソケットと接触するかを示す。図示のように、バネ負荷式正極接点３２０は、リベット４１６の頭部と係合し、車両電源供給部の正極側に接続する。バネ負荷式接地接点３１０は、ソケットウェル４００と係合し、電気回路帰地を完結する。図示のように、電気接点４２２は、従来技術の電気アクセサリ部品と共に使用される。
【００９１】
図３９は、本発明にかかるアクセサリプラグを示しており、このアクセサリプラグは、本発明にかかるユニバーサル電源ソケットと共に使用される。ケーブル４３０は、給電式の電気／電子デバイスに至る。プラグは、符号５００で示されており、ユニバーサルソケットのウェル４００内へ挿入される。アクセサリプラグは、図５のタバコライターに示す電気接点２８Ａのようなシリンダ状接点２８Ａを有し、ユニバーサルソケットの接点プレート４２２のボタンと接触させる。これは、バネ負荷式接地接点３１０を使用して、接地側接続を形成する。
【００９２】
図４０及び図４１は、図５のタバコライターを示しており、このタバコライターは、スタンバイ位置（図４０）と電源オン位置（図４１）との間でユニバーサル電源ソケット内にスライド式に受けられている。シリンダ状接点２８Ａは、接点プレート４２２の接点指部と接触し、正極側の車両電源供給部をタバコライターに提供する。図４０及び図４１に示す他の構成部材全ては、図５及び図１４に示す構成部材と同様の参照符号を有する。
【００９３】
本発明にかかるユニバーサル電源ソケットは、従来技術よりも高い電流レベルをアクセサリデバイスに伝達する。
【００９４】
本発明にかかるソケットは、アクセサリデバイスのためのプラグまたは新規のシリンダ状接点を有するタバコライターをソケット内へ挿入すると、電源ソケットの正極側接点に対して擦る動作を提供する。これは、従来技術のデバイスの問題、すなわち、アクセサリプラグまたはタバコライターの加熱ユニットが給電を形成して遮断するときにおいてソケット及びプラグの正極側の接点にアークを形成すること、を解消する。
【００９５】
本発明にかかる電源ソケットは、プラグまたはタバコライターの接点２８Ａへの径方向の摩擦を提供する１以上の追加の電気接点によって、電気アクセサリデバイスに関するプラグのソケット内における保持を改善する。
【００９６】
本発明にかかる電源ソケットのシリンダ状接点２８Ａは、移動しない受動的な保護体を提供し、タバコ製品からの灰が加熱素子の全体的な周辺から分散することを防止する。
【００９７】
ソケットの正極側接点を配置し、それにより、正極側接点がライター／プラグのシリンダ状接点２８Ａの内面と電気的に係合することによって、洗浄作用が提供され、電気的なアーク形成の影響を低減する。さらに、正極側接点をソケットの中心から径方向に配設することによって、ソケット内に挿入されるタバコライターの加熱ユニットからの放射及び対流による熱移送から正極側接点を熱的に隔離することを補助する。
【００９８】
また、ユニバーサルソケットは、バネ負荷式中央接点（図３７）を使用する既知の電気プラグと完全に互換性があり、正極接点４２２は、従来技術のアクセサリプラグ（図３８）からの損傷に対して保護される。
【００９９】
本発明にかかるユニバーサル電源ソケットの重大な利点は、単純な構造のユニバーサル電源ソケットを提供することであり、このユニバーサル電源ソケットは、電気アクセサリデバイス及び補修部品市場のタバコライターユニットの双方と共に使用可能である。さらに、ユニバーサルソケット内に熱保護のバイメタル素子を配置する必要がない。その替わりに、タバコライターソケットに関して一般的には必須であるバイメタル保護デバイスは、ここで、タバコライター自体に配置されており、これにより、コストを低減する。
【０１００】
本発明は、同様に、アクセサリプラグを提供しており、このプラグは、プラグが電源ソケットに給電するまたは給電を遮断するときのアーク形成による有害な影響を低減する。アクセサリプラグは、高レベルの電流引き込みを可能とし、従来技術の軸方向でバネ負荷式デバイスよりもソケット内における良好な保持を提供する。
【０１０１】
本発明をその特有に実施形態に関して説明したが、さまざまな他の変形及び改良並びに他の用途は、当業者に明らかである。したがって、好ましいことは、本発明が明細書の具体的な開示に限定されず、添付の特許請求の範囲に限定されることである。
【符号の説明】
【０１０２】
１０  電気タバコライター，タバコライター，ライター，ライターユニット、１１，１１Ａ  シリンダ状シェル，外側ライターシェル，外側シェル，シェル，シェル壁部、１２  ノブエスカチオン，環状エスカチオン，エスカチオン、１４  中央ノブ部分，作動ノブ，ノブ、１４Ａ  押込部分，外側部分、１４Ｂ  入れ子式のノブ部分，襟部、１６  コイルバネ，圧縮バネ，バネ、１８  金属シャフト，シャフト、２０  ネジ、２２  環状電気接点，環状接点，スイッチ接点，接点、２４  細長い領域、２６  加熱素子、２６Ａ  外側端部，尾部、２６Ｂ  中央端子、２７，２７Ａ  コイル保持体，部分折返領域、２８  コイル保持体キャップ，シールド部材，シールド、２８Ａ  コイル保持体キャップ，コイル保持体，コイル保持体キャップ接点，シリンダ状電気接点，シリンダ状接点，接点，接触素子、２８ＡＡ  コイル保持体キャップ、２８ＡＡＡ  点、２８ＡＡＡＡ  円周ビード、２８ＡＢ  コイル保持体，接点、２８ＡＢＡ  ディンプル、２９  コイル保持体キャップ，キャップ、３０  接点リベット，中央リベット，リベット、３０Ａ  スロット、３０Ｂ  肩部、３１  頂部，頭部、３２  絶縁体、３４  バイメタル素子，バイメタルクリップ素子，バイメタルスイッチ接点，バイメタル接点，クリップ、３４Ａ  対向部材，対向端部，端部、３５  絶縁体、３５Ａ  スナップタブ，湾曲タブ，ロックピン、３６  導電素子，部分，部材、３７  頭部，絶縁体、３８  接地保持体、４０  絶縁体、４０Ａ  絶縁隔離ディスク，隔離ディスク、４０Ｂ  切欠部、４０Ｅ  ロック孔部、４１  熱的バイメタル保護体，バイメタル熱保護体，保護体，バイメタル、４１Ａ，４１Ｂ  バイメタル、４１Ｃ  熱保護バイメタルディスク，熱保護ディスク，バイメタルディスク，ディスク、４１ＣＣ  切欠部、４１Ｄ  作動ビーム，片持梁，バイメタルビーム、４１Ｅ  ロック孔部、４２  円状溝部，ビード、４３  溝部、４４  スロット、２００  タバコライターソケット，ソケット、２１０  ソケットリベット，中央リベット、２２０  金属ソケットシェル，ソケットシェル、２２２  電気的絶縁体、２２４  電気端子，端子、２２６  端子、２２７  ソケット端子，端子、２２８  保持槍部、２２９  球状外観部、３００  電気アクセサリプラグ，アクセサリプラグ、３１０  バネ負荷式湾曲接地接点，バネ負荷式接地接点，接地接点バネ、３２０  バネ負荷式正極接点，正極接点、４００  ソケットシェル，シェル，ソケットウェル，ウェル、４０５  電気接続部分、４１０  ソケット絶縁体，絶縁本体、４１２  電気端子、４１４  端子、４１６  中央リベット，給電出口リベット，リベット、４１８  上側絶縁体，絶縁体、４２０  下側絶縁体、４２１  把持面、４２２  電気接点プレート，電気接点，接点プレート，正極接点、４２２Ａ  バネ負荷式電気接点，電気接点，接触素子，電気接点プレート、４２２Ｂ  電気接点プレート，接点プレート，バネ負荷式接点突出部、４２２ＢＡ  接点、４２２Ｄ  接点プレート、４２３  中央開口部、４２４  位置合せ凹所、４２５  位置合せ突出部、４２６  案内肩部、４３０  ケーブル、４３３Ｃ  接点プレート
【図１】
2014521923.tif 000003
【図１Ａ】
2014521923.tif 000004
【図１Ｂ】
2014521923.tif 000005
【図２】
2014521923.tif 000006
【図３】
2014521923.tif 000007
【図３Ａ】
2014521923.tif 000008
【図４】
2014521923.tif 000009
【図５】
2014521923.tif 000010
【図５Ａ】
2014521923.tif 000011
【図６】
2014521923.tif 000012
【図７】
2014521923.tif 000013
【図８】
2014521923.tif 000014
【図９】
2014521923.tif 000015
【図９Ａ】
2014521923.tif 000016
【図９ＡＡ】
2014521923.tif 000017
【図９Ｂ】
2014521923.tif 000018
【図９Ｃ】
2014521923.tif 000019
【図９Ｄ】
2014521923.tif 000020
【図９Ｅ】
2014521923.tif 000021
【図９Ｆ】
2014521923.tif 000022
【図９Ｇ】
2014521923.tif 000023
【図９Ｈ】
2014521923.tif 000024
【図９Ｉ】
2014521923.tif 000025
【図９Ｊ】
2014521923.tif 000026
【図９Ｋ】
2014521923.tif 000027
【図１０】
2014521923.tif 000028
【図１０Ａ】
2014521923.tif 000029
【図１０ＡＡ】
2014521923.tif 000030
【図１０Ｂ】
2014521923.tif 000031
【図１０Ｃ】
2014521923.tif 000032
【図１０Ｄ】
2014521923.tif 000033
【図１０Ｅ】
2014521923.tif 000034
【図１０Ｆ】
2014521923.tif 000035
【図１０Ｇ】
2014521923.tif 000036
【図１０Ｈ】
2014521923.tif 000037
【図１１】
2014521923.tif 000038
【図１２】
2014521923.tif 000039
【図１３】
2014521923.tif 000040
【図１３Ａ】
2014521923.tif 000041
【図１３Ｂ】
2014521923.tif 000042
【図１３Ｃ】
2014521923.tif 000043
【図１３Ｄ】
2014521923.tif 000044
【図１３Ｅ】
2014521923.tif 000045
【図１３Ｆ】
2014521923.tif 000046
【図１４】
2014521923.tif 000047
【図１５】
2014521923.tif 000048
【図１６】
2014521923.tif 000049
【図１７】
2014521923.tif 000050
【図１８】
2014521923.tif 000051
【図１９】
2014521923.tif 000052
【図２０】
2014521923.tif 000053
【図２１】
2014521923.tif 000054
【図２２】
2014521923.tif 000055
【図２３】
2014521923.tif 000056
【図２４】
2014521923.tif 000057
【図２５】
2014521923.tif 000058
【図２６】
2014521923.tif 000059
【図２７】
2014521923.tif 000060
【図２８】
2014521923.tif 000061
【図２９】
2014521923.tif 000062
【図３０】
2014521923.tif 000063
【図３１】
2014521923.tif 000064
【図３２】
2014521923.tif 000065
【図３３】
2014521923.tif 000066
【図３３Ａ】
2014521923.tif 000067
【図３４】
2014521923.tif 000068
【図３４Ａ】
2014521923.tif 000069
【図３４Ｂ】
2014521923.tif 000070
【図３５】
2014521923.tif 000071
【図３６】
2014521923.tif 000072
【図３７】
2014521923.tif 000073
【図３８】
2014521923.tif 000074
【図３９】
2014521923.tif 000075
【図４０】
2014521923.tif 000076
【図４１】
2014521923.tif 000077
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
タバコライターであって、当該タバコライターの加熱素子にエネルギーを付与するための電気ソケットに受けられるように構成された、タバコライターにおいて、
前記ソケットのスリーブと電気的かつ機械的に接触するように構成された導電性本体シェルと、
圧縮バネの付勢に抗して前記本体シェル内で入れ子式に移動するために、前記本体シェル内に受けられるユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成され、当該電気加熱素子が、前記本体シェルとほぼ同心状に配置された第２電気端子を有し、前記第２電気端子が、中央に配設された固定体と電気的に接触する、電気加熱素子と、
前記本体シェルから電気的に絶縁した前記固定体によって所定位置で保持され、前記加熱素子の前記第２端子と電気的に連絡する第１バイメタル素子であって、少なくとも２つの基端側に延在する係合クリップを有する、第１バイメタル素子と、
ユーザ作動可能な前記ノブと共に移動するように構成された移動可能電気接点であって、前記本体シェルと電気的に連絡し、第１及び第２位置を有し、このため、前記第１位置において、前記ノブが基端側に延在すると、当該移動可能電気接点が前記バイメタル係合クリップと電気的に係合せず、そのため、前記加熱素子にはエネルギーが付与されず、前記第２位置において、前記ノブを先端側に移動させると、前記移動可能電気接点が前記バイメタル係合クリップと係合しかつ前記係合クリップにより所定位置に保持され、前記加熱素子には所定の第１温度に達するまで電力によるエネルギーが付与され、前記第１温度において、前記バイメタル係合クリップが曲がって前記移動可能電気接点を前記バイメタル係合クリップから解放し、前記加熱素子へのエネルギー付与を停止し、前記バネの付勢に起因して前記ノブを基端側に移動させる、移動可能電気接点と、
を備えることを特徴とするタバコライター。
【請求項２】
前記第１電気接触素子が、前記電気加熱素子を囲むシリンダ状接触素子を備えることを特徴とする請求項１に記載のタバコライター。
【請求項３】
前記シリンダ状接触素子が、前記ソケットの前記第１電気接点を当該シリンダ状接触素子の内周面に電気的に係合させるように構成されており、そのため、前記内周面と前記ソケットの前記第１電気接点との間でスライド式接触があることを特徴とする請求項２に記載のタバコライター。
【請求項４】
前記加熱素子が、螺旋形状をなしており、当該螺旋が、当該螺旋の外側に配設された前記第１電気端子を有し、
前記第１電気端子が、前記シリンダ状接触素子のスロットを通して受けられ、これにより、前記シリンダ状接触素子と電気的に係合し、
前記第２電気端子が、前記螺旋の内側に配設されており、中央に配設された前記固定体と電気的に係合することを特徴とする請求項３に記載のタバコライター。
【請求項５】
前記シリンダ状接触素子の外側に配置された同心状キャップをさらに備え、
前記キャップが、前記シリンダ状接触素子の少なくとも一部を囲み、当該キャップと前記シリンダ状接触素子の外周との間に前記加熱素子の前記第１電気端子を固定することを特徴とする請求項４に記載のタバコライター。
【請求項６】
前記シリンダ状接触素子の外周にある円状溝部をさらに備え、これにより、前記加熱素子の前記第１電気端子が、前記キャップと前記シリンダ状接触素子との間で前記円状溝部内に受けられ、前記加熱素子の前記第１電気端子の前記シリンダ状接触素子への電気的接続を提供することを特徴とする請求項５に記載のタバコライター。
【請求項７】
前記キャップが、当該キャップの内周面に、前記シリンダ状接触素子の前記円状溝部と位置合わせした円状溝部を有し、これにより、前記加熱素子の前記第１電気端子を前記円状溝部間に固定することを特徴とする請求項６に記載のタバコライター。
【請求項８】
接地保持体が、前記第１バイメタル素子回りに同心状に配設されており、絶縁体によって前記第１バイメタル素子から電気的に絶縁され、
前記第１バイメタル素子が、中心に配設された前記固定体によって、前記絶縁体に配設されかつ前記絶縁体へ保持されていることを特徴とする請求項７に記載のタバコライター。
【請求項９】
第２バイメタル素子をさらに備え、
前記第２バイメタル素子が、前記加熱素子の温度が前記第１温度よりも高い所定の第２温度に達すると、前記本体シェルまたは前記接地保持体と電気的に接触するために前記シリンダ状接触素子と電気的に連絡し、安全上の問題を回避することを特徴とする請求項８に記載のタバコライター。
【請求項１０】
前記第２バイメタル素子が、前記本体シェルとほぼ位置合わせして先端側に延在しており、所定の前記第２温度に達すると、径方向に移動して前記本体シェルと接触することを特徴とする請求項９に記載のタバコライター。
【請求項１１】
前記第２バイメタル素子が、基端側に延在しており、所定の前記第２温度に達すると、径方向外側に移動して前記接地保持体と接触することを特徴とする請求項９に記載のタバコライター。
【請求項１２】
第２バイメタル素子をさらに備え、
前記第２バイメタル素子が、前記加熱素子の温度が前記第１温度よりも高い所定の第２温度に達すると、前記本体シェルまたは前記本体シェルと電気的に連絡する部分と電気的に接触するために前記第１電気接触素子と電気的に連絡し、安全上の問題を回避することを特徴とする請求項１に記載のタバコライター。
【請求項１３】
前記第２バイメタル素子が、前記第１電気接触素子のキャップに隣接して配置されかつ前記キャップと電気的に面接触するバイメタル面状構造体を備え、
前記バイメタル面状構造体が、少なくとも１つの作動ビームを有し、
前記第２バイメタル素子が、前記バイメタル面状構造体の反対側に隣接して配設された電気絶縁構造体をさらに備え、
前記電気絶縁構造体が、前記作動ビームと位置合わせした切欠部を有し、
前記第２バイメタル素子が、前記電気絶縁構造体に隣接して配設され、前記バイメタル面状構造体から電気的に絶縁された接地保持素子をさらに備え、
これにより、前記加熱素子の温度が所定の前記第２温度に達すると、前記作動ビームが、前記バイメタル面状構造体の平面に対して横方向に反り、前記接地保持体に接触し、給電を短絡させることを特徴とする請求項１２に記載のタバコライター。
【請求項１４】
前記バイメタル面状構造体が、前記作動ビームを画成する径方向切欠部を有するバイメタルディスクを備え、
前記電気絶縁構造体が、絶縁ディスクを備えることを特徴とする請求項１３に記載のタバコライター。
【請求項１５】
前記バイメタルディスクを前記キャップに対して１つのみの同心方位に方向付けることを可能とするために、前記バイメタルディスクに非対称に位置する位置決め穴部をさらに備えることを特徴とする請求項１４に記載のタバコライター。
【請求項１６】
非対称に位置する前記位置決め穴部が、前記キャップにおいて、前記バイメタルディスク、前記絶縁ディスク及び前記接地保持体と位置合わせして配設されており、
１つのみの同心方位に前記素子をロックするために、前記位置決め穴部を貫通するロックピンをさらに備えることを特徴とする請求項１５に記載のタバコライター。
【請求項１７】
前記第１バイメタル素子のための電気的な及び熱的な絶縁体をさらに備え、
前記ロックピンが、電気的な及び熱的な前記絶縁体から延在することを特徴とする請求項１６に記載のタバコライター。
【請求項１８】
前記バイメタルディスクが、低膨張面及び高膨張面を有し、
前記低膨張面が、前記接地保持体を向き、そのため、前記加熱素子が所定の前記第２温度に達する場合に、前記作動ビームが前記絶縁ディスクにある前記切欠部を通して反り、前記接地保持体と接触することを特徴とする請求項１４に記載のタバコライター。
【請求項１９】
前記バイメタルディスクの反りが、前記絶縁ディスクの厚さによって決まることを特徴とする請求項１８に記載のタバコライター。
【請求項２０】
前記第２バイメタル素子が、基端側に延在しており、前記第２温度に達すると、径方向外側に曲がって前記本体シェルまたは一部に接触することを特徴とする請求項１２に記載のタバコライター。
【請求項２１】
中央に配設された前記固定体が、リベットであり、
前記加熱素子の前記第２電気端子が、前記リベットの先端側の頭部にあるスロット内にスウェージ加工されていることを特徴とする請求項７に記載のタバコライター。
【請求項２２】
前記移動可能電気接点が、ユーザ作動可能な前記ノブを先端側に押圧することによって、中央に配設された前記固定体の基端側を向く頭部と電気的に係合して保持されており、前記第１バイメタル素子が前記移動可能電気接点を解放したときに、前記加熱素子への電流フローを維持することを特徴とする請求項１に記載のタバコライター。
【請求項２３】
前記移動可能電気接点が、固定素子によってユーザ作動可能な前記ノブに保持されており、
前記固定素子が中央に配設された前記固定体の基端側を向く前記頭部と電気的に係合するために、中央に配設された前記固定体のうち先端側を向く頭部を有し、前記加熱素子へ電流が流れることを可能とすることを特徴とする請求項２２に記載のタバコライター。
【請求項２４】
前記固定素子が、前記移動可能電気接点を金属シャフトへ保持させ、
前記金属シャフトが、ユーザ作動可能な前記ノブによる移動のために結合されていることを特徴とする請求項２３に記載のタバコライター。
【請求項２５】
前記バネが、前記シャフトを囲むことを特徴とする請求項２４に記載のタバコライター。
【請求項２６】
前記固定素子が、前記シャフトに螺合されたネジを備えることを特徴とする請求項２５に記載のタバコライター。
【請求項２７】
金属本体が、前記本体シェル内でスライド可能に移動するために前記金属シャフトと電気的に係合しており、前記ソケットスリーブと電気的にスライド式に接触して受けられている前記本体シェルと前記金属シャフトとの間に、ひいては前記移動可能電気接点への電気的連絡を提供することを特徴とする請求項２４に記載のタバコライター。
【請求項２８】
当該タバコライターが、自動車の電気ソケットに受けられることを特徴とする請求項１に記載のタバコライター。
【請求項２９】
ユーザ作動可能な前記ノブが、ユーザ作動可能な当該ノブを囲む外側ノブ部分内に入れ子式に受けられることを特徴とする請求項１に記載のタバコライター。
【請求項３０】
前記シリンダ状接触素子が、移動不能な灰ガードとして機能することを特徴とする請求項２に記載のタバコライター。
【請求項３１】
前記加熱素子の前記第１電気端子が、前記加熱素子を囲むコイル保持体へ電気的にかつ機械的に固定されていることを特徴とする請求項２に記載のタバコライター。
【請求項３２】
前記コイル保持体が、当該コイル保持体の全周にわたって折り返されていることを特徴とする請求項３１に記載のタバコライター。
【請求項３３】
前記コイル保持体が、折り返されており、当該コイル保持体の周辺領域に前記第１電気端子を固定し、前記周辺領域が、前記コイル保持体の周辺の一部のみを含むことを特徴とする請求項３１に記載のタバコライター。
【請求項３４】
前記コイル保持体が、前記第１電気接触素子から離れた部品であり、前記第１電気接触素子と電気的に連絡することを特徴とする請求項３１に記載のタバコライター。
【請求項３５】
前記第１電気接触素子が、前記コイル保持体を囲む領域において内径が増大することを特徴とする請求項３４に記載のタバコライター。
【請求項３６】
前記コイル保持体及び前記第１電気接触素子が、一体化されていることを特徴とする請求項３１に記載のタバコライター。
【請求項３７】
前記コイル保持体が、前記第１電気接触素子に形成された複数のスナップタブ及び曲げタブによって、前記第１電気接触素子内に保持されていることを特徴とする請求項３１に記載のタバコライター。
【請求項３８】
一体化した前記コイル保持体を覆って受けられ、前記コイル保持体と電気的にかつ機械的に係合するキャップをさらに備えることを特徴とする請求項３６に記載のタバコライター。
【請求項３９】
ビードが、前記キャップに入り込んでおり、前記キャップを前記コイル保持体に固定することを特徴とする請求項３８に記載のタバコライター。
【請求項４０】
前記電気ソケットの前記第１電気接点が、前記第１電気接点と電気的に係合するために、バネ負荷式接点を備えることを特徴とする請求項１に記載のタバコライター。
【請求項４１】
前記電気ソケットが、所定位置にある前記バネ負荷式接点の近傍に配設された保持槍部を有しており、そのため、前記保持槍部が、雄型のアクセサリ電気プラグを前記ソケット内に挿入したときに歪まないことを特徴とする請求項４０に記載のタバコライター。
【請求項４２】
前記保持槍部が、前記本体シェルの先端部にある細長い直径領域にと係合するための球状素子を有することを特徴とする請求項４１に記載のタバコライター。
【請求項４３】
タバコライターのための加熱組立体であって、
シリンダ状本体と、
前記シリンダ状本体と電気的に接触する第１電気端子を有する電気加熱素子であって、前記シリンダ状本体が、当該電気加熱素子の周囲に配設され、電気ソケットの第１電気接点と電気的に接触するように構成される、電気加熱素子と、
を備え、
前記電気加熱素子が、前記シリンダ状本体に関してほぼ中央に位置する第２電気端子を有し、前記第２電気端子が、中央に配設された固定体と電気的に接触し、
前記加熱素子が、螺旋形状をなしており、当該螺旋が、当該螺旋の外側に配設された前記第１電気端子を有し、
前記第１電気端子が、前記シリンダ状本体にあるスロットを通して受けられており、これにより、前記シリンダ状本体と電気的に係合し、
前記第２電気端子が、前記螺旋の内側に配設され、中央に配設された前記固定体と電気的に係合しており、
当該加熱組立体が、
前記シリンダ状本体の外側に配設された同心状キャップをさらに備え、
前記キャップが、前記シリンダ状本体の少なくとも一部を囲み、当該キャップと前記シリンダ状本体の外周との間に前記加熱素子の前記第１電気端子を固定することを特徴とする加熱組立体。
【請求項４４】
前記シリンダ状本体の外周にある円状溝部をさらに備え、
前記加熱素子の前記第１電気端子が、前記円状溝部において前記キャップと前記シリンダ状本体との間で受けられており、前記加熱素子の前記第１電気端子を前記シリンダ状本体へ電気的に接続させることを特徴とする請求項４３に記載の加熱組立体。
【請求項４５】
前記キャップが、当該キャップの内周にあり、前記シリンダ状本体にある前記円状溝部と位置合わせした円状溝部を有し、前記加熱素子の前記第１電気端子を前記円状溝部間に固定することを特徴とする請求項４４に記載の加熱組立体。
【請求項４６】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して移動するために、前記本体シェルに取り付けられたユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成されており、当該電気加熱素子が、所定の第１温度に達してタバコまたはシガレットの点火を可能とするように制御されている、電気加熱素子と、
を備え、
前記電気加熱素子が、前記本体シェルに関してほぼ中央に位置する第２電気端子を有し、前記第２電気端子が、中央に配設された固定体と電気的に接触し、
当該タバコライターが、熱保護バイメタル素子をさらに備え、
前記熱保護バイメタル素子が、前記加熱素子の温度が所定の前記第１温度よりも高い所定の第２温度に達すると、前記本体シェルまたは前記本体シェルと電気的に連絡する部分と電気的に接触するために前記第１電気端子と電気的に連絡し、安全上の問題を回避し、
前記熱保護素子が、前記本体シェル内に配設されていることを特徴とするタバコライター。
【請求項４７】
前記熱保護バイメタル素子が、前記第１電気接触素子のキャップに隣接して配置されかつ前記キャップと電気的に面接触するバイメタル面状構造体を備え、
前記バイメタル面状構造体が、少なくとも１つの作動ビームを備え、
前記熱保護バイメタル素子が、前記バイメタル面状構造体の反対側に隣接して配設された電気絶縁構造体をさらに備え、
前記電気絶縁構造体が、前記作動ビームと位置合わせした切欠部を有し、
前記熱保護バイメタル素子が、前記電気絶縁構造体に隣接して配設され、前記バイメタル面状構造体から電気的に絶縁された接地保持素子をさらに備え、
これにより、前記加熱素子の温度が所定の前記第２温度に達すると、前記作動ビームが、前記バイメタル面状構造体の平面に対して横方向に反り、前記接地保持体に接触し、給電を短絡させることを特徴とする請求項４６に記載のタバコライター。
【請求項４８】
前記バイメタル面状構造体が、前記作動ビームを画成する径方向切欠部を有するバイメタルディスクを備え、
前記電気絶縁構造体が、絶縁ディスクを備えることを特徴とする請求項４７に記載のタバコライター。
【請求項４９】
前記バイメタルディスクを前記キャップに対して１つのみの同心方位に方向付けることを可能とするために、前記バイメタルディスクに非対称に位置する位置決め穴部をさらに備えることを特徴とする請求項４８に記載のタバコライター。
【請求項５０】
非対称に位置する前記位置決め穴部が、前記キャップにおいて、前記バイメタルディスク、前記絶縁ディスク及び前記接地保持体と位置合わせして配設されており、ロックピンを備え、
前記ロックピンが、１つのみの同心方位に前記素子をロックするために、前記位置決め穴部を貫通することを特徴とする請求項４９に記載のタバコライター。
【請求項５１】
前記加熱素子の温度を制御するための制御バイメタル素子をさらに備え、
前記制御バイメタル素子が、前記本体シェルから電気的に絶縁された前記固定体によって所定位置で保持され、前記加熱素子の前記第２端子と電気的に連絡し、
前記制御バイメタル素子が、少なくとも２つの基端側に延在する係合クリップを有し、
前記制御バイメタル素子のための電気的熱的絶縁体をさらに備え、
前記ロックピンが、前記電気的熱的絶縁体から延在することを特徴とする請求項５０に記載のタバコライター。
【請求項５２】
前記バイメタルディスクが、低膨張面及び高膨張面を有し、
前記低膨張面が、前記接地保持素子を向き、そのため、前記加熱素子が所定の前記第２温度に達する場合に、前記作動ビームが前記絶縁ディスクにある前記切欠部を通して反り、前記接地保持素子と接触することを特徴とする請求項４８に記載のタバコライター。
【請求項５３】
前記バイメタルディスクの反りが、前記絶縁ディスクの厚さによって決まることを特徴とする請求項５２に記載のタバコライター。
【請求項５４】
前記熱保護バイメタル素子が、前記本体シェルとほぼ位置合わせして先端側に延在しており、所定の前記第２温度に達すると、径方向に移動して前記本体シェルと接触することを特徴とする請求項４６に記載のタバコライター。
【請求項５５】
前記熱保護バイメタル素子が、基端側に延在しており、所定の前記第２温度に達すると、径方向外側に移動して前記接地保持体と接触することを特徴とする請求項４６に記載のタバコライター。
【請求項５６】
前記熱保護バイメタル素子が、基端側に延在しており、前記第２温度に達すると、径方向外側に曲がって前記本体シェルまたは一部に接触することを特徴とする請求項４４に記載のタバコライター。
【請求項５７】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して前記本体シェル内で入れ子式に移動するために、前記本体シェル内に受けられるユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成され、当該電気加熱素子が、前記本体シェルとほぼ同心状に配置された第２電気端子を有し、前記第２電気端子が、中央に配設された固定体と電気的に接触する、電気加熱素子と、
前記本体シェルから電気的に絶縁した前記固定体によって所定位置で保持され、前記加熱素子の前記第２端子と電気的に連絡する第１バイメタル素子であって、基端側に延在する係合素子を有する、第１バイメタル素子と、
ユーザ作動可能な前記ノブと共に移動するように構成された移動可能電気接点であって、前記本体シェルと電気的に連絡し、第１及び第２位置を有し、このため、前記第１位置において、前記ノブが基端側に延在すると、当該移動可能電気接点が前記バイメタル係合素子と電気的に係合せず、そのため、前記加熱素子にはエネルギーが付与されず、前記第２位置において、前記ノブを先端側に移動させると、当該移動可能電気接点が前記バイメタル係合素子と係合しかつ前記バイメタル係合素子により所定位置に保持され、前記加熱素子には所定の第１温度に達するまで電力によるエネルギーが付与され、前記第１温度において、前記バイメタル係合素子が、曲がって前記移動可能電気接点を前記バイメタル係合素子から解放し、前記加熱素子へのエネルギー付与を停止し、前記バネの付勢に起因して前記ノブを基端側に移動させる、移動可能電気接点と、
を備え、
ユーザ作動可能な前記ノブを先端側に押圧することによって、前記移動可能電気接点が、中央に配設された前記固定体の基端側を向く頭部と電気的に係合して保持されており、前記第１バイメタル素子が前記移動可能電気接点を解放した場合であっても、前記加熱素子への電流フローを維持することを特徴とするタバコライター。
【請求項５８】
前記移動可能電気接点が、固定素子によってユーザ作動可能な前記ノブへ保持され、
前記固定素子が、中央に配設された前記固定体の基端側を向く前記頭部と電気的に係合するために、先端側に配設された頭部を有し、電流が前記加熱素子へ流れることを可能とすることを特徴とする請求項５７に記載のタバコライター。
【請求項５９】
前記固定素子が、前記移動可能電気接点を金属シャフトへ保持させ、
前記金属シャフトが、ユーザ作動可能な前記ノブによる移動のために結合されていることを特徴とする請求項５８に記載のタバコライター。
【請求項６０】
前記バネが、前記シャフトを囲むことを特徴とする請求項５９に記載のタバコライター。
【請求項６１】
前記固定素子が、前記シャフトに螺合されたネジを備えることを特徴とする請求項６０に記載のタバコライター。
【請求項６２】
金属本体が、前記本体シェル内でスライド可能に移動するために前記金属シャフトと電気的に係合しており、前記ソケットスリーブと電気的にスライド式に接触して受けられている前記本体シェルと前記金属シャフトとの間に、ひいては前記移動可能電気接点への電気的連絡を提供することを特徴とする請求項５９に記載のタバコライター。
【請求項６３】
タバコライターであって、当該タバコライターの加熱素子にエネルギーを付与するために電気ソケット内に受けられるように構成され、
前記ソケットのスリーブと電気的にかつ機械的に接触するように構成された導電性本体シェルと、
圧縮バネの付勢に抗して移動するために、前記本体シェルに取り付けられたユーザ作動可能な前記ノブと、
前記本体シェルの先端部に配設された電気加熱素子であって、第１電気接触素子と電気的に接触する第１電気端子を有し、前記第１電気接触素子が、当該電気加熱素子の周囲を囲んで配設され、前記電気ソケットの第１電気接点と電気的に接触するように構成された、電気加熱素子と、
を備え、
前記電気加熱素子が、前記本体シェルに関してほぼ中央に位置する第２電気端子を有し、前記第２電気端子が、中央に配設された固定体と電気的に接触し、
前記第１電気接触素子が、前記電気加熱素子を囲むシリンダ状接触素子を備え、
前記加熱素子が、螺旋形状をなしており、当該螺旋が、当該螺旋の外側に配設された前記第１電気端子を有し、
前記加熱素子の前記第１電気端子が、前記加熱素子を囲むコイル保持体へ電気的にかつ機械的に固定され、
前記コイル保持体が、折り返されており、当該コイル保持体の周辺領域に前記第１電気端子を固定し、前記周辺領域が、前記コイル保持体の周辺の一部のみを含むことを特徴とするタバコライター。
【請求項６４】
前記コイル保持体が、前記第１電気接触素子から離れた部品であり、前記第１電気接触素子と電気的に連絡することを特徴とする請求項６３に記載のタバコライター。
【請求項６５】
前記第１電気接触素子が、前記コイル保持体を囲む領域において内径が増大することを特徴とする請求項６４に記載のタバコライター。
【請求項６６】
前記コイル保持体及び前記第１電気接触素子が、一体化されていることを特徴とする請求項６３に記載のタバコライター。
【請求項６７】
前記コイル保持体が、前記第１電気接触素子に形成された複数のスナップタブ及び曲げタブによって、前記第１電気接触素子内に保持されていることを特徴とする請求項６３に記載のタバコライター。
【請求項６８】
一体化した前記コイル保持体を覆って受けられ、前記コイル保持体と電気的にかつ機械的に係合するキャップをさらに備えることを特徴とする請求項６６に記載のタバコライター。
【請求項６９】
ビードが、前記キャップに入り込んでおり、前記キャップを前記コイル保持体に固定することを特徴とする請求項６８に記載のタバコライター。
【国際調査報告】
2014521923.tif 000078